(57)【要約】【課題】回路規模の増加を抑制しつつ、入力のダイナミックレンジに応じて高精度な検出を実現する。【解決手段】電圧検出装置９は、電池セル４ａ、４ｂの電圧を検出する電圧検出モードと、電池に流れる電流を検出するためのシャント抵抗Ｒｓ１、Ｒｓ２の端子間電圧を検出する電流検出モードとを切り替え可能な構成で、ＭＵＸ１１、増幅率を切り替え可能な差動構成のＳＣ増幅回路１２および動作制御部１３を備える。動作制御部１３は、端子Ｐ５、Ｐ６またはＰ７、Ｐ８の各電圧を出力するようにＭＵＸ１１の動作を制御するとともに増幅率を第１増幅率に切り替えるようにＳＣ増幅回路１２の動作を制御することで電圧検出モードに切り替え、シャント抵抗Ｒｓ１またはＲｓ２の各端子電圧を出力するようにＭＵＸ１１の動作を制御するとともに増幅率を第１増幅率よりも高い第２増幅率に切り替えるようにＳＣ増幅回路１２の動作を制御することで電流検出モードに切り替える。【選択図】図１
2019032175.tif 000002
【特許請求の範囲】
【請求項１】
２つの電圧検出対象ノード（Ｐ５〜Ｐ８、Ｐ６７〜Ｐ７０）間の電圧を検出する電圧検出モードと、電流を検出するためのシャント抵抗（Ｒｓ１、Ｒｓ２、Ｒｓ６１、Ｒｓ６２）の端子（Ｐ１〜Ｐ４、Ｐ６３〜Ｐ６６）間の電圧を検出する電流検出モードと、を切り替え可能な電圧検出装置（９、３２、５２、６４）であって、
前記２つの電圧検出対象ノードの各電圧および前記シャント抵抗の各端子電圧のうちいずれかを選択し、第１出力電圧および第２出力電圧として出力するマルチプレクサ（１１）と、
サンプリング容量（Ｃ１１、Ｃ１２、Ｃ３１、Ｃ３２）およびフィードバック容量（Ｃ１３〜Ｃ１６）を備え、前記サンプリング容量により前記第１出力電圧および前記第２出力電圧をサンプリングし、前記フィードバック容量を介して前記サンプリングされた電荷を転送することにより前記第１出力電圧および前記第２出力電圧に対応した検出電圧を出力する差動構成のスイッチトキャパシタ増幅回路（１２、３３、５３）と、
前記マルチプレクサおよび前記スイッチトキャパシタ増幅回路の動作を制御する動作制御部（１３、３４、５４）と、
を備え、
前記スイッチトキャパシタ増幅回路は、その増幅率を切り替え可能な構成であり、
前記動作制御部は、
前記２つの電圧検出対象ノードの各電圧を出力するように前記マルチプレクサの動作を制御するとともに、前記増幅率を第１増幅率に切り替えるように前記スイッチトキャパシタ増幅回路の動作を制御することにより、前記電圧検出モードに切り替え、
前記シャント抵抗の各端子電圧を出力するように前記マルチプレクサの動作を制御するとともに、前記増幅率を前記第１増幅率よりも高い第２増幅率に切り替えるように前記スイッチトキャパシタ増幅回路の動作を制御することにより、前記電流検出モードに切り替える電圧検出装置。
【請求項２】
前記スイッチトキャパシタ増幅回路は、
前記フィードバック容量の容量値を切り替えるフィードバック容量切替部（１５）を備え、
前記フィードバック容量切替部による容量値の切り替えにより、前記増幅率の切り替えを行う構成である請求項１に記載の電圧検出装置。
【請求項３】
前記スイッチトキャパシタ増幅回路（３３）は、
前記サンプリング容量の容量値を切り替えるサンプリング容量切替部（３５）を備え、
前記サンプリング容量切替部による容量値の切り替えにより、前記増幅率の切り替えを行う構成である請求項１または２に記載の電圧検出装置。
【請求項４】
前記動作制御部は、１回の電圧の検出毎に、前記サンプリングを２回実行するように前記スイッチトキャパシタ増幅回路の動作を制御する請求項１から３のいずれか一項に記載の電圧検出装置。
【請求項５】
前記検出についてオーバーサンプリングの手法が適用される場合、
前記動作制御部は、１回の電圧の検出毎に、前記オーバーサンプリングの手法に基づいて決定される複数の回数だけ繰り返されるサンプリング全体を１回の前記サンプリングとして数えて、前記サンプリングを２回実行するように前記スイッチトキャパシタ増幅回路の動作を制御する請求項４に記載の電圧検出装置。
【請求項６】
前記スイッチトキャパシタ増幅回路は、前記サンプリング容量として、差動構成において対をなす第１サンプリング容量（Ｃ１１、Ｃ３１）および第２サンプリング容量（Ｃ１２、Ｃ３２）を備え、
前記動作制御部は、
前記２回のサンプリングのうち、一方の前記サンプリングでは前記第１サンプリング容量を用いて前記第１出力電圧をサンプリングするとともに前記第２サンプリング容量を用いて前記第２出力電圧をサンプリングし、他方の前記サンプリングでは前記第２サンプリング容量を用いて前記第１出力電圧をサンプリングするとともに前記第１サンプリング容量を用いて前記第２出力電圧をサンプリングするように、前記マルチプレクサおよび前記スイッチトキャパシタ増幅回路の動作を制御する請求項４または５に記載の電圧検出装置。
【請求項７】
前記スイッチトキャパシタ増幅回路は、前記サンプリング容量として、差動構成において対をなす第１サンプリング容量（Ｃ１１、Ｃ３１）および第２サンプリング容量（Ｃ１２、Ｃ３２）を備え、
前記動作制御部は、
前記２回のサンプリングのうち、一方の前記サンプリングでは前記第１サンプリング容量を用いて前記第１出力電圧および前記第２出力電圧の一方をサンプリングするとともに前記第２サンプリング容量を用いて前記第１出力電圧および前記第２出力電圧の他方をサンプリングし、他方の前記サンプリングでは前記第１サンプリング容量を用いて前記第１出力電圧および前記第２出力電圧の一方をサンプリングするとともに前記第２サンプリング容量を用いて前記第１出力電圧および前記第２出力電圧の一方をサンプリングするように、前記マルチプレクサおよび前記スイッチトキャパシタ増幅回路の動作を制御する請求項４または５に記載の電圧検出装置。
【請求項８】
さらに、前記スイッチトキャパシタ増幅回路から出力される前記検出電圧を入力する差動入力形式のＡ／Ｄ変換器（１０、６５）を備え、
前記スイッチトキャパシタ増幅回路は、前記検出電圧が前記Ａ／Ｄ変換器の入力電圧範囲に収まるようにオフセットを付与することが可能な構成であり、
前記動作制御部は、前記電圧検出モードに切り替える際、前記オフセットの付与を行うように前記スイッチトキャパシタ増幅回路の動作を制御する請求項１から７のいずれか一項に記載の電圧検出装置。
【請求項９】
前記電圧検出対象ノード（Ｐ５〜Ｐ８）は、組電池（４）を構成する各電池セル（４ａ、４ｂ）の端子に接続されており、
前記シャント抵抗（Ｒｓ２）は、前記電池セルに流れる電流の経路に直列に介在するように設けられている請求項１から８のいずれか一項に記載の電圧検出装置。
【請求項１０】
前記サンプリング容量は、配線間容量により構成されている請求項９に記載の電圧検出装置。
【発明の詳細な説明】
【技術分野】
【０００１】
本発明は、電圧を検出する電圧検出装置に関する。
【背景技術】
【０００２】
鉛電池、リチウムイオン電池などの電池を監視する電池監視装置では、電池の電圧および電流を計測し、その計測結果を用いて各種の信号処理などを行うようになっている。この場合、電流の検出は、その電流が流れる経路に直列に介在するシャント抵抗の端子電圧に基づいて行われる。
【０００３】
シャント抵抗としては、定常時の消費電流を低く抑えるため、比較的小さい抵抗値のものが用いられることが多い。そのため、シャント抵抗の端子電圧は、電池の電圧に比べ、小さい電圧値となる。したがって、電流を検出するための検出回路には、シャント抵抗の端子電圧を増幅するための専用のアンプが必要となる。従来、このような事情から、電池の電圧を検出するための検出回路と、電池の電流を検出するための検出回路と、を個別に設けなければならず、回路規模の増加、製造コストの増加などの問題が生じていた。
【０００４】
特許文献１に記載の構成では、ΔΣ変調器に用いるキャパシタの容量比が、電流検出の際と電圧検出の際とで変更されることにより、電池セルの電圧検出および電流検出において同一の検出回路を共用化することを可能としている。上記構成によれば、回路規模を低減することができる。
【先行技術文献】
【特許文献】
【０００５】
【特許文献１】特許第５５９３０３６号公報
【発明の概要】
【発明が解決しようとする課題】
【０００６】
しかし、上記構成では、電流と電圧の検出速度が異なるようになっており、電流と電圧を同じタイミングでサンプリングすることができない。そのため、上記構成では、電流のサンプリング周期と電圧のサンプリング周期とが異なってしまい、電流および電圧の各検出値を用いて行う各種の信号処理（例えば、ＳＯＣ推定など）の精度を高めることが難しい。つまり、上記構成では、回路規模が低減されるものの、高精度な検出を実現することはできない。
【０００７】
本発明は上記事情に鑑みてなされたものであり、その目的は、回路規模の増加を抑制しつつ、入力のダイナミックレンジに応じて高精度な検出を実現することができる電圧検出装置を提供することにある。
【課題を解決するための手段】
【０００８】
請求項１に記載の電圧検出装置（９、３２、５２、６４）は、２つの電圧検出対象ノード（Ｐ５〜Ｐ８、Ｐ６７〜Ｐ７０）間の電圧を検出する電圧検出モードと、電流を検出するためのシャント抵抗（Ｒｓ１、Ｒｓ２、Ｒｓ６１、Ｒｓ６２）の端子（Ｐ１〜Ｐ４、Ｐ６３〜Ｐ６６）間の電圧を検出する電流検出モードと、を切り替え可能であり、マルチプレクサ（１１）、スイッチトキャパシタ増幅回路（１２、３３、５３）および動作制御部（１３、３４、５４）を備えている。
【０００９】
マルチプレクサは、２つの電圧検出対象ノードの各電圧およびシャント抵抗の各端子電圧のうちいずれかを選択し、第１出力電圧および第２出力電圧として出力する。スイッチトキャパシタ増幅回路は、差動構成であり、サンプリング容量（Ｃ１１、Ｃ１２、Ｃ３１、Ｃ３２）およびフィードバック容量（Ｃ１３〜Ｃ１６）を備える。スイッチトキャパシタ増幅回路は、サンプリング容量により第１出力電圧および第２出力電圧をサンプリングし、そのサンプリングされた電荷を、フィードバック容量を介して転送することにより第１出力電圧および第２出力電圧に対応した検出電圧を出力する。動作制御部は、マルチプレクサおよびスイッチトキャパシタ増幅回路の動作を制御する。
【００１０】
この場合、スイッチトキャパシタ増幅回路は、その増幅率を切り替え可能な構成となっている。動作制御部は、２つの電圧検出対象ノードの各電圧を出力するようにマルチプレクサの動作を制御するとともに、増幅率を第１増幅率に切り替えるようにスイッチトキャパシタ増幅回路の動作を制御することにより、電圧検出モードに切り替える。また、動作制御部は、シャント抵抗の各端子電圧を出力するようにマルチプレクサの動作を制御するとともに、増幅率を第１増幅率よりも高い第２増幅率に切り替えるようにスイッチトキャパシタ増幅回路の動作を制御することにより、電流検出モードに切り替える。
【００１１】
上記構成では、電圧検出モード時および電流検出モード時の各信号処理経路は、いずれも「マルチプレクサ→スイッチトキャパシタ増幅回路」という経路となり、互いに同じ経路となる。そして、上記構成では、同一の信号処理経路による電圧検出モードと電流検出モードとが時分割で切り替えられる。また、電流検出モード時におけるスイッチトキャパシタ増幅回路の増幅率が電圧検出モード時の増幅率である第１増幅率よりも高い第２増幅率に切り替えられるようになっている。そのため、上記構成によれば、従来必要であったシャント抵抗の端子電圧を増幅するための専用のアンプおよびそれに付随して設けられる抵抗を必要とすることなく、互いに大きく値が異なる電圧検出対象ノード間の電圧とシャント抵抗の端子間の電圧との双方を精度良く検出することが可能となる。
【００１２】
このような構成によれば、アンプおよび抵抗が不要になるため、それらに起因する誤差が低減されるとともに、消費電力の低減および回路面積の削減を図ることができる。また、上記構成では、電圧および電流を検出するための回路が共有されることになり、その分だけ、回路規模を小さく抑えることができる。
【００１３】
さらに、上記構成によれば、電圧検出モード時および電流検出モード時の各信号処理経路は、いずれも検出対象となる電圧が直接サンプリングされるものであり、互いに同一の経路となる。そのため、上記構成では、電圧および電流を同一のサンプリング周期で検出することが可能となり、電流および電圧の各検出値を用いて行われるＳＯＣ推定などの各種の信号処理の精度を高めることができる。このように、上記構成によれば、回路規模の増加を抑制しつつ、入力のダイナミックレンジに応じて高精度な検出を実現することができるという優れた効果が得られる。
【図面の簡単な説明】
【００１４】
【図１】第１実施形態に係る電池監視装置の構成を模式的に示す図
【図２】第１実施形態における電池セルの電圧を検出する際の動作を説明するための図であり、第１サンプリング期間の電圧検出装置の回路形態を模式的に示す図
【図３】第１実施形態における電池セルの電圧を検出する際の動作を説明するための図であり、第１電荷転送期間の電圧検出装置の回路形態を模式的に示す図
【図４】第１実施形態における電池セルの電圧を検出する際の動作を説明するための図であり、第２サンプリング期間の電圧検出装置の回路形態を模式的に示す図
【図５】第１実施形態における電池セルの電圧を検出する際の動作を説明するための図であり、第２電荷転送期間の電圧検出装置の回路形態を模式的に示す図
【図６】第１実施形態における電池に流れる電流を検出する際の動作を説明するための図であり、第１サンプリング期間の電圧検出装置の回路形態を模式的に示す図
【図７】第１実施形態における電池に流れる電流を検出する際の動作を説明するための図であり、第１電荷転送期間の電圧検出装置の回路形態を模式的に示す図
【図８】第１実施形態における電池に流れる電流を検出する際の動作を説明するための図であり、第２サンプリング期間の電圧検出装置の回路形態を模式的に示す図
【図９】第１実施形態における電池に流れる電流を検出する際の動作を説明するための図であり、第２電荷転送期間の電圧検出装置の回路形態を模式的に示す図
【図１０】第２実施形態における電池セルの電圧を検出する際の動作を説明するための図であり、第１サンプリング期間の電圧検出装置の回路形態を模式的に示す図
【図１１】第２実施形態における電池セルの電圧を検出する際の動作を説明するための図であり、第１電荷転送期間の電圧検出装置の回路形態を模式的に示す図
【図１２】第２実施形態における電池セルの電圧を検出する際の動作を説明するための図であり、第２サンプリング期間の電圧検出装置の回路形態を模式的に示す図
【図１３】第２実施形態における電池セルの電圧を検出する際の動作を説明するための図であり、第２電荷転送期間の電圧検出装置の回路形態を模式的に示す図
【図１４】第３実施形態に係る電池監視装置の構成を模式的に示す図
【図１５】第４実施形態における電池セルの電圧を検出する際の動作を説明するための図であり、サンプリング期間の電圧検出装置の回路形態を模式的に示す図
【図１６】第４実施形態における電池セルの電圧を検出する際の動作を説明するための図であり、電荷転送期間の電圧検出装置の回路形態を模式的に示す図
【図１７】第４実施形態における電池に流れる電流を検出する際の動作を説明するための図であり、サンプリング期間の電圧検出装置の回路形態を模式的に示す図
【図１８】第４実施形態における電池に流れる電流を検出する際の動作を説明するための図であり、電荷転送期間の電圧検出装置の回路形態を模式的に示す図
【図１９】第５実施形態に係る電池監視装置の構成を模式的に示す図
【図２０】第５実施形態における電池セルの電圧を検出する際の動作を説明するための図であり、リセット期間の電圧検出装置の回路形態を模式的に示す図
【図２１】第５実施形態における電池セルの電圧を検出する際の動作を説明するための図であり、サンプリング期間の電圧検出装置の回路形態を模式的に示す図
【図２２】第５実施形態における電池セルの電圧を検出する際の動作を説明するための図であり、電荷転送期間の電圧検出装置の回路形態を模式的に示す図
【図２３】第５実施形態における電池に流れる電流を検出する際の動作を説明するための図であり、リセット期間の電圧検出装置の回路形態を模式的に示す図
【図２４】第５実施形態における電池に流れる電流を検出する際の動作を説明するための図であり、サンプリング期間の電圧検出装置の回路形態を模式的に示す図
【図２５】第５実施形態における電池に流れる電流を検出する際の動作を説明するための図であり、電荷転送期間の電圧検出装置の回路形態を模式的に示す図
【図２６】第６実施形態に係る検出装置の構成を模式的に示す図
【発明を実施するための形態】
【００１５】
以下、本発明の複数の実施形態について図面を参照して説明する。なお、各実施形態において実質的に同一の構成には同一の符号を付して説明を省略する。
（第１実施形態）
以下、第１実施形態について図１〜図９を参照して説明する。
【００１６】
図１に示す電池監視装置１は、車両に搭載されるIntegrated Starter Generator２（以下、ＩＳＧ２と呼ぶ）に電源供給を行うための電池３、組電池４などを監視するもので、例えばＡＳＩＣとして構成されている。電池３は、鉛電池であり、その正極側端子はトランジスタＱ１、シャント抵抗Ｒｓ１およびトランジスタＱ２を介してＩＳＧ２の電源端子Ｐｄ１に接続されている。なお、トランジスタＱ１、Ｑ２は、いずれもＮチャネル型ＭＯＳトランジスタである。電池３の負極側端子は、グランド線Ｌｇに接続されている。
【００１７】
組電池４は、リチウムイオン電池などの二次電池である複数個の電池セルが多段に直列接続された構成となっている。そのため、複数個の電池セルには、コモンモード電圧が重畳されている。そのコモンモード電圧は、組電池４の上段側、つまり高電位側に接続される電池セルほど高くなる。なお、図１などでは、複数個の電池セルの一部である３つの電池セル４ａ〜４ｃおよびそれらに対応する構成だけを図示している。
【００１８】
組電池４の最上段、つまり最も高電位側に設けられる電池セル４ａの正極側端子は、トランジスタＱ３、シャント抵抗Ｒｓ２およびトランジスタＱ４を介してＩＳＧ２の電源端子Ｐｄ２に接続されている。なお、トランジスタＱ３、Ｑ４は、いずれもＮチャネル型ＭＯＳトランジスタである。組電池４の最下段、つまり最も低電位側に設けられる電池セル４ｃの負極側端子は、グランド線Ｌｇに接続されている。
【００１９】
電池３の正極側端子から電源端子Ｐｄ１に至る電源供給経路は、トランジスタＱ１、Ｑ２により開閉可能となっており、それらのオンとオフにより電池３からＩＳＧ２に対する電源供給の実行および停止が切り替え可能となっている。また、電池セル４ａの正極側端子から電源端子Ｐｄ２に至る電源供給経路は、トランジスタＱ３、Ｑ４により開閉可能となっており、それらのオンとオフにより組電池４からＩＳＧ２に対する電源供給の実行および停止が切り替え可能となっている。
【００２０】
電池監視装置１は、電池３に流れる電流を検出する機能、組電池４、つまり電池セル４ａ〜４ｃに流れる電流を検出する機能および電池セル４ａ、４ｂの各電圧を検出する機能などを有する。なお、電池３に流れる電流は、その電流が流れる経路に直列に介在するように設けられたシャント抵抗Ｒｓ１の端子間の電圧に基づいて検出される。また、組電池４に流れる電流は、その電流が流れる経路に直列に介在するように設けられたシャント抵抗Ｒｓ２の端子間の電圧に基づいて検出される。
【００２１】
電池監視装置１は、シャント抵抗Ｒｓ１の各端子に対応した端子Ｐ１、Ｐ２およびシャント抵抗Ｒｓ２の各端子に対応した端子Ｐ３、Ｐ４を備えている。シャント抵抗Ｒｓ１の各端子と端子Ｐ１、Ｐ２との間は、ノイズを除去するためのフィルタ５を介して接続されている。フィルタ５は、シャント抵抗Ｒｓ１の高電位側端子と端子Ｐ１との間に接続される抵抗Ｒ１、シャント抵抗Ｒｓ１の低電位側端子と端子Ｐ２との間に接続される抵抗Ｒ２および端子Ｐ１、Ｐ２間に接続されるキャパシタＣ１からなるＲＣフィルタである。
【００２２】
シャント抵抗Ｒｓ２の各端子と端子Ｐ３、Ｐ４との間は、フィルタ６を介して接続されている。フィルタ６は、フィルタ５と同様に構成されたＲＣフィルタであり、抵抗Ｒ３、Ｒ４およびキャパシタＣ２を備えている。
【００２３】
電池監視装置１は、電池セル４ａの各端子に対応した端子Ｐ５、Ｐ６と、電池セル４ｂの各端子に対応した端子Ｐ７、Ｐ８と、グランド電位（０Ｖ）を供給するための端子Ｐ９を備えている。なお、端子Ｐ５、Ｐ６と、端子Ｐ７、Ｐ８とは、いずれも２つの電圧検出対象ノードに相当する。
【００２４】
電池セル４ａの各端子と端子Ｐ５、Ｐ６との間は、フィルタ７を介して接続されている。フィルタ７は、フィルタ５などと同様に構成されたＲＣフィルタであり、抵抗Ｒ５、Ｒ６およびキャパシタＣ３を備えている。電池セル４ｂの各端子と端子Ｐ７、Ｐ８との間は、フィルタ８を介して接続されている。フィルタ８は、フィルタ５などと同様に構成されたＲＣフィルタであり、抵抗Ｒ７、Ｒ８およびキャパシタＣ４を備えている。端子Ｐ９には、電池セル４ｃの負極側端子、つまりグランド線Ｌｇが接続される。
【００２５】
電池監視装置１は、電圧検出装置９およびＡ／Ｄ変換器１０（以下、ＡＤＣ１０と呼ぶ）などを備えている。電圧検出装置９は、電圧検出モードと電流検出モードとを切り替え可能な構成となっている。電圧検出モードは、端子Ｐ５、Ｐ６間の電圧、つまり電池セル４ａの電圧を検出する際、または端子Ｐ７、Ｐ８間の電圧、つまり電池セル４ｂの電圧を検出する際に用いられるモードである。
【００２６】
また、電流検出モードは、端子Ｐ１、Ｐ２間の電圧、つまり電池３に流れる電流を検出するためのシャント抵抗Ｒｓ１の端子間の電圧を検出する際、または端子Ｐ３、Ｐ４間の電圧、つまり組電池４に流れる電流を検出するためのシャント抵抗Ｒｓ２の端子間の電圧を検出する際に用いられるモードである。
【００２７】
電圧検出装置９は、マルチプレクサ１１（以下、ＭＵＸ１１と呼ぶ）、スイッチトキャパシタ増幅回路１２（以下、ＳＣ増幅回路１２と呼ぶ）および動作制御部１３を備えている。ＭＵＸ１１は、複数のスイッチＳ１〜Ｓ８を備えており、スイッチＳ１〜Ｓ８の各一方の端子は、端子Ｐ１〜Ｐ８にそれぞれ接続されている。スイッチＳ１、Ｓ３、Ｓ５、Ｓ７の各他方の端子は第１出力線Ｌｏ１に接続され、スイッチＳ２、Ｓ４、Ｓ６、Ｓ８の各他方の端子は第２出力線Ｌｏ２に接続されている。
【００２８】
ＭＵＸ１１は、スイッチＳ１〜Ｓ８のオンとオフの切り替えにより、端子Ｐ１、Ｐ２の各電圧、端子Ｐ３、Ｐ４の各電圧、端子Ｐ５、Ｐ６の各電圧および端子Ｐ７、Ｐ８の各電圧のうちいずれかを選択し、第１出力線Ｌｏ１および第２出力線Ｌｏ２を介して後段へと出力する。なお、この場合、第１出力線Ｌｏ１を介して出力される電圧が第１出力電圧に相当し、第２出力線Ｌｏ２を介して出力される電圧が第２出力電圧に相当する。
【００２９】
ＳＣ増幅回路１２は、差動出力形式のＯＰアンプ１４、キャパシタＣ１１〜Ｃ１８およびスイッチＳ１１〜Ｓ３０を備えている。ＳＣ増幅回路１２には、ＭＵＸ１１から第１出力線Ｌｏ１を通じて出力される電圧（以下、入力電圧Ｖipと呼ぶ）および第２出力線Ｌo2を通じて出力される電圧（以下、入力電圧Ｖimと呼ぶ）が入力されている。
【００３０】
ＳＣ増幅回路１２は、サンプリング容量に相当するキャパシタＣ１１、Ｃ１２により入力電圧Ｖip、Ｖimをサンプリングし、そのサンプリングされた電荷を、フィードバック容量に相当するキャパシタＣ１３〜Ｃ１６を介して転送することにより、入力電圧Ｖip、Ｖimに対応した検出電圧を出力する差動構成のサンプルホールド回路である。なお、ＳＣ増幅回路１２は、高いコモンモード電圧を、低いコモンモード基準電圧Ｖcmまで降圧させるレベルシフトも行っている。また、詳細は後述するが、ＳＣ増幅回路１２は、その増幅率（ゲイン）を切り替え可能な構成となっている。
【００３１】
ＯＰアンプ１４のコモン電圧は、電圧検出の基準となる基準電圧Ｖcmに等しく設定されている。基準電圧Ｖcmは、電圧検出装置９が備える各回路の電源電圧（例えば＋５Ｖ）の中間電圧（例えば＋２．５Ｖ）になっている。ＯＰアンプ１４は、その反転出力端子、非反転出力端子からそれぞれ出力電圧Ｖop、Ｖomを出力する。
【００３２】
出力電圧Ｖop、Ｖomは、入力電圧Ｖip、Ｖimに対応した検出電圧に相当するもので、差動入力形式のＡＤＣ１０によりデジタルデータに変換される。このデジタルデータは、入力電圧Ｖip、Ｖimの検出値を表すもので、図示しない上位の制御装置により取得される。詳細は後述するが、ＳＣ増幅回路１２は、出力電圧Ｖop、ＶomがＡＤＣ１０の入力電圧範囲（例えば、＋２．５Ｖ〜−２．５Ｖ）に収まるようにオフセットを付与することが可能な構成となっている。
【００３３】
差動構成において対をなすキャパシタＣ１１、Ｃ１２は、それぞれ第１サンプリング容量および第２サンプリング容量に相当する。キャパシタＣ１１、Ｃ１２は、同じ容量値Ｃsになっている。なお、本明細書における「同じ容量値」とは、容量値が完全に一致するものだけでなく、目的とする効果を奏するものであれば、互いの容量値に若干の差があり、厳密には一致していないようなものも含む。
【００３４】
キャパシタＣ１１の一方の端子は、スイッチＳ１１を介して第１出力線Ｌｏ１に接続されるとともに、スイッチＳ１２を介して第２出力線Ｌｏ２に接続されている。キャパシタＣ１２の一方の端子は、スイッチＳ１３を介して第２出力線Ｌｏ２に接続されるとともに、スイッチＳ１４を介して第１出力線Ｌｏ１に接続されている。
【００３５】
キャパシタＣ１１の他方の端子は、ＯＰアンプ１４の非反転入力端子に接続されるとともに、スイッチＳ１５を介してグランド線Ｌｇに接続されている。キャパシタＣ１２の他方の端子は、ＯＰアンプ１４の反転入力端子に接続されるとともに、スイッチＳ１６を介してグランド線Ｌｇに接続されている。
【００３６】
差動構成において対をなすキャパシタＣ１３、Ｃ１４は、同じ容量値Ｃfになっている。また、差動構成において対をなすキャパシタＣ１５、Ｃ１６は、同じ容量値Ｃf2になっている。キャパシタＣ１３は、ＯＰアンプ１４の非反転入力端子と反転出力端子との間に接続されている。キャパシタＣ１４は、ＯＰアンプ１４の反転入力端子と非反転出力端子との間に接続されている。
【００３７】
キャパシタＣ１５の一方の端子は、スイッチＳ１７を介してＯＰアンプ１４の非反転入力端子に接続されるとともに、スイッチＳ１８を介してグランド線Ｌｇに接続されている。キャパシタＣ１５の他方の端子は、スイッチＳ１９を介してＯＰアンプ１４の反転出力端子に接続されるとともに、スイッチＳ２０を介してグランド線Ｌｇに接続されている。
【００３８】
キャパシタＣ１６の一方の端子は、スイッチＳ２１を介してＯＰアンプ１４の反転入力端子に接続されるとともに、スイッチＳ２２を介してグランド線Ｌｇに接続されている。キャパシタＣ１６の他方の端子は、スイッチＳ２３を介してＯＰアンプ１４の非反転出力端子に接続されるとともに、スイッチＳ２４を介してグランド線Ｌｇに接続されている。
【００３９】
このような構成によれば、スイッチＳ１７、Ｓ１９、Ｓ２１、Ｓ２３がオフのとき、ＯＰアンプ１４の非反転入力端子と反転出力端子との間にキャパシタＣ１３が接続されるとともに、ＯＰアンプ１４の反転入力端子と非反転出力端子との間にキャパシタＣ１４が接続された状態となる。この場合、フィードバック容量の容量値は、キャパシタＣ１３、Ｃ１４の容量値Ｃfとなる。
【００４０】
これに対し、スイッチＳ１７、Ｓ１９、Ｓ２１、Ｓ２３がオンのとき、ＯＰアンプ１４の非反転入力端子と反転出力端子との間にキャパシタＣ１３、Ｃ１５が並列接続されるとともに、ＯＰアンプ１４の反転入力端子と非反転出力端子との間にキャパシタＣ１４、Ｃ１６が並列接続された状態となる。この場合、フィードバック容量の容量値は、キャパシタＣ１３、Ｃ１４の容量値Ｃfに、キャパシタＣ１５、Ｃ１６の容量値Ｃf2を加えた容量値（＝Ｃf＋Ｃf2）となる。
【００４１】
このように、本実施形態では、スイッチＳ１７、Ｓ１９、Ｓ２１、Ｓ２３によりフィードバック容量の容量値を切り替えるフィードバック容量切替部１５が構成されている。この場合、フィードバック容量切替部１５は、スイッチＳ１７、Ｓ１９、Ｓ２１、Ｓ２３がオフからオンに切り替わることにより、フィードバック容量の容量値が大きくなるようになっている。ＳＣ増幅回路１２の増幅率は、フィードバック容量の容量値に応じて変化する。したがって、本実施形態では、ＳＣ増幅回路１２は、フィードバック容量切替部１５による容量値の切り替えにより、その増幅率の切り替えが行われる構成となっている。
【００４２】
差動構成において対をなすキャパシタＣ１７、Ｃ１８と、スイッチＳ２５〜Ｓ３０とは、前述したオフセットを付与するための構成である。キャパシタＣ１７の一方の端子は、キャパシタＣ１５の一方の端子に接続されている。キャパシタＣ１７の他方の端子には、スイッチＳ２５を介して基準電圧Ｖrp（例えば＋５Ｖ）が印加可能とされ、スイッチＳ２６を介して基準電圧Ｖcmが印加可能とされ、スイッチＳ２７を介して基準電圧Ｖrm（例えば０Ｖ）が印加可能とされている。
【００４３】
キャパシタＣ１８の一方の端子は、キャパシタＣ１６の一方の端子に接続されている。キャパシタＣ１８の他方の端子には、スイッチＳ２８を介して基準電圧Ｖrpが印加可能とされ、スイッチＳ２９を介して基準電圧Ｖcmが印加可能とされ、スイッチＳ３０を介して基準電圧Ｖrmが印加可能とされている。
【００４４】
上記構成において、キャパシタＣ１１、Ｃ１２と、それらキャパシタＣ１１、Ｃ１２を挟んで組電池４側に配される回路素子には、電池セル４ａ〜４ｃに重畳される高いコモンモード電圧が印加されるため、それに耐え得る高耐圧の素子が用いられ、その他の回路素子には低耐圧の素子が用いられている。本実施形態では、少なくともキャパシタＣ１１、Ｃ１２は、配線間容量により構成されており、それにより高耐圧化が実現されている。
【００４５】
動作制御部１３は、ＭＵＸ１１の動作、具体的にはスイッチＳ１〜Ｓ８のオンとオフの切り替えを制御する。また、動作制御部１３は、ＳＣ増幅回路１２の動作、具体的にはスイッチＳ１１〜Ｓ３０のオンとオフの切り替えを制御する。
【００４６】
動作制御部１３は、電池セル４ａまたは４ｂの電圧を検出する際、電池セル４ａまたは４ｂの各電圧を出力するようにＭＵＸ１１の動作を制御するとともに、増幅率を第１増幅率に切り替えるようにＳＣ増幅回路１２の動作を制御する。さらに、この際、動作制御部１３は、前述したオフセットの付与を行うようにＳＣ増幅回路１２の動作を制御する。このような回路状態が、電圧検出モードに相当する。
【００４７】
動作制御部１３は、電池３または組電池４に流れる電流を検出する際、シャント抵抗Ｒｓ１またはＲｓ２の各端子電圧を出力するようにＭＵＸ１１の動作を制御するとともに、増幅率を第２増幅率に切り替えるようにＳＣ増幅回路１２の動作を制御する。このような回路状態が、電流検出モードに相当する。なお、本実施形態では、第１増幅率は「１」となっており、第２増幅率は第１増幅率よりも高い「８」となっている。
【００４８】
上記構成では、ＳＣ増幅回路１２の増幅率は、キャパシタＣ１１〜Ｃ１８の容量値Ｃs、Ｃf、Ｃf2、Ｃrの組み合わせ、つまり容量比により、任意の値に設定することが可能である。本実施形態では、上述した第１増幅率および第２増幅率を実現するため、容量値Ｃs、Ｃf、Ｃf2、Ｃrの容量比が下記（１）式に示すような比となるように、キャパシタＣ１１〜Ｃ１８の容量値が設定されている。
Ｃf：Ｃf2：Ｃs：Ｃr＝0.25：1.75：1：0.5      …（１）
【００４９】
さらに、動作制御部１３は、１回の電圧の検出毎に、サンプリングを２回実行するようにＳＣ増幅回路１２の動作を制御する。すなわち、動作制御部１３は、２回のサンプリングのうちの一方では、キャパシタＣ１１を用いて入力電圧ＶipをサンプリングするとともにキャパシタＣ１２を用いて入力電圧Ｖimをサンプリングするように、ＭＵＸ１１およびＳＣ増幅回路１２の動作を制御する。
【００５０】
また、動作制御部１３は、２回のサンプリングのうちの他方では、キャパシタＣ１２を用いて入力電圧ＶipをサンプリングするとともにキャパシタＣ１１を用いて入力電圧Ｖimをサンプリングするように、ＭＵＸ１１およびＳＣ増幅回路１２の動作を制御する。以下、このような検出手法のことを「入力反転２回サンプリング」と呼ぶこととする。詳細は後述するが、入力反転２回サンプリングが実施されることにより、ＯＰアンプ１４のオフセットに起因する検出誤差が低減されるといった効果などが得られる。
【００５１】
次に、上記構成の作用について図２〜図９を参照して説明する。なお、図２〜図９において、ＯＰアンプ１４の非反転入力端子側には、ＯＰアンプ１４のオフセット電圧Ｖosを表す電圧源のシンボルが追加されている。
【００５２】
［１］電池セルの電圧を検出する際の動作
ここでは、電池セル４ａの電圧を検出する際の動作を例に説明するが、他の電池セルの電圧を検出する際の動作も同様である。電池セル４ａの電圧を検出する動作が行われる際、ＭＵＸ１１のスイッチＳ１〜Ｓ８は、スイッチＳ１〜Ｓ４、Ｓ７、Ｓ８が常時オフされるとともに、スイッチＳ５、Ｓ６が常時オンされる。
【００５３】
電池セル４ａの電圧が検出される際、電圧検出装置９の動作は、第１サンプリング→第１電荷転送（第１ホールド）→第２サンプリング→第２電荷転送（第２ホールド）という順で行われる。そして、図示しない制御装置が、電圧検出装置９から出力される出力電圧Ｖop、ＶomをＡ／Ｄ変換して得られるデジタルデータを用いた処理（デジタル処理）を実行することにより、電池セル４ａの電圧が検出される。
【００５４】
＜第１サンプリング＞
図２に示すように、第１サンプリングが行われる期間、スイッチＳ１１〜Ｓ３０のオン（ON）／オフ（OFF）の状態は、次の通りとなる。
Ｓ１１：ON、Ｓ１２：OFF、Ｓ１３：ON、Ｓ１４：OFF、Ｓ１５：ON、Ｓ１６：ON
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：OFF、Ｓ２７：ON、Ｓ２８：ON、Ｓ２９：OFF、Ｓ３０：OFF
【００５５】
これにより、キャパシタＣ１１が電池セル４ａの正極側端子の電圧である入力電圧Ｖipにより充電されるとともに、キャパシタＣ１２が電池セル４ａの負極側端子の電圧である入力電圧Ｖimにより充電される。つまり、キャパシタＣ１１により入力電圧Ｖipがサンプリングされるとともに、キャパシタＣ１２により入力電圧Ｖimがサンプリングされる。
【００５６】
また、キャパシタＣ１３〜Ｃ１６は、それらの端子間が短絡されることにより、蓄積された電荷が全て放電される。さらに、キャパシタＣ１７が基準電圧Ｖrmにより充電されるとともに、キャパシタＣ１８が基準電圧Ｖrpにより充電される。
【００５７】
＜第１電荷転送＞
図３に示すように、第１電荷転送が行われる期間、スイッチＳ１１〜Ｓ３０のオン／オフは、次のような状態となる。
Ｓ１１：OFF、Ｓ１２：ON、Ｓ１３：OFF、Ｓ１４：ON、Ｓ１５：OFF、Ｓ１６：OFF
Ｓ１７：ON、Ｓ１８：OFF、Ｓ１９：ON、Ｓ２０：OFF
Ｓ２１：ON、Ｓ２２：OFF、Ｓ２３：ON、Ｓ２４：OFF
Ｓ２５：ON、Ｓ２６：OFF、Ｓ２７：OFF、Ｓ２８：OFF、Ｓ２９：OFF、Ｓ３０：ON
【００５８】
これにより、キャパシタＣ１１に蓄積された電荷およびキャパシタＣ１７に蓄積された電荷がキャパシタＣ１３、Ｃ１５を介して転送される。また、キャパシタＣ１２に蓄積された電荷およびキャパシタＣ１８に蓄積された電荷がキャパシタＣ１４、Ｃ１６を介して転送される。
【００５９】
このような第１電荷転送により、電圧検出装置９から出力される出力電圧Ｖop、Ｖomの差電圧である電圧Ｖo[1a]は、下記（２）式により表される。ただし、入力電圧Ｖip、Ｖimの差電圧（＝Ｖip−Ｖim）をＶiとし、基準電圧Ｖrp、Ｖrmの差電圧（＝Ｖrp−Ｖrm）をＶrとする。
Ｖo[1a]＝（２・（Ｃs・Ｖi−Ｃr・Ｖr）／（Ｃf＋Ｃf2））＋Ｖos  …（２）
【００６０】
（１）式に示したキャパシタＣ１１〜Ｃ１８の容量比を考慮すると、上記（２）式から下記（３）式を導出することができる。
Ｖo[1a]＝Ｖi−（Ｖr／２）＋Ｖos      …（３）
【００６１】
ＡＤＣ１０は、第１電荷転送により得られる出力電圧Ｖop、Ｖomを入力してＡ／Ｄ変換を行い、それらの差電圧である電圧Ｖo[1a]に対応したデジタルデータを図示しない制御装置へと出力する。なお、上記（３）式における「−（Ｖr／２）」は、ＡＤＣ１０に入力される電圧が、その入力電圧範囲に収まるように意図的に付与したオフセットに相当する。
【００６２】
本実施形態では、電圧Ｖr（＝Ｖrp−Ｖrm）が＋５Ｖであるため、このオフセットは、−２．５Ｖとなる。また、本実施形態では、電池セル４ａなどの端子間電圧が、０〜＋５Ｖの範囲の電圧値となることを想定している。そのため、このようなオフセットを付与することで、ＡＤＣ１０に入力される電圧は、ＡＤＣ１０の入力電圧範囲（−２．５Ｖ〜＋２．５Ｖ）に収まることになる。
【００６３】
＜第２サンプリング＞
図４に示すように、第２サンプリングが行われる期間、スイッチＳ１１〜Ｓ３０のオン（ON）／オフ（OFF）の状態は、次の通りとなる。
Ｓ１１：OFF、Ｓ１２：ON、Ｓ１３：OFF、Ｓ１４：ON、Ｓ１５：ON、Ｓ１６：ON
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：OFF、Ｓ２７：ON、Ｓ２８：ON、Ｓ２９：OFF、Ｓ３０：OFF
【００６４】
これにより、キャパシタＣ１１が電池セル４ａの負極側端子の電圧である入力電圧Ｖimにより充電されるとともに、キャパシタＣ１２が電池セル４ａの正極側端子の電圧である入力電圧Ｖipにより充電される。つまり、キャパシタＣ１１により入力電圧Ｖimがサンプリングされるとともに、キャパシタＣ１２により入力電圧Ｖipがサンプリングされる。このように、第２サンプリングでは、第１サンプリングに対し、ＳＣ増幅回路１２への入力が反転されるようになっている。
【００６５】
また、キャパシタＣ１３〜Ｃ１６は、それらの端子間が短絡されることにより、蓄積された電荷が全て放電される。さらに、キャパシタＣ１７が基準電圧Ｖrmにより充電されるとともに、キャパシタＣ１８が基準電圧Ｖrpにより充電される。
【００６６】
＜第２電荷転送＞
図５に示すように、第２電荷転送が行われる期間、スイッチＳ１１〜Ｓ３０のオン／オフは、次のような状態となる。
Ｓ１１：ON、Ｓ１２：OFF、Ｓ１３：ON、Ｓ１４：OFF、Ｓ１５：OFF、Ｓ１６：OFF
Ｓ１７：ON、Ｓ１８：OFF、Ｓ１９：ON、Ｓ２０：OFF
Ｓ２１：ON、Ｓ２２：OFF、Ｓ２３：ON、Ｓ２４：OFF
Ｓ２５：ON、Ｓ２６：OFF、Ｓ２７：OFF、Ｓ２８：OFF、Ｓ２９：OFF、Ｓ３０：ON
【００６７】
これにより、キャパシタＣ１１に蓄積された電荷およびキャパシタＣ１７に蓄積された電荷がキャパシタＣ１３、Ｃ１５を介して転送される。また、キャパシタＣ１２に蓄積された電荷およびキャパシタＣ１８に蓄積された電荷がキャパシタＣ１４、Ｃ１６を介して転送される。
【００６８】
このような第２電荷転送により、電圧検出装置９から出力される出力電圧Ｖop、Ｖomの差電圧である電圧Ｖo[2a]は、下記（４）式により表される。
Ｖo[2a]＝（２・（−Ｃs・Ｖi−Ｃr・Ｖr）／（Ｃf＋Ｃf2））＋Ｖos  …（４）
【００６９】
（１）式に示したキャパシタＣ１１〜Ｃ１８の容量比を考慮すると、上記（４）式から下記（５）式を導出することができる。
Ｖo[2a]＝−Ｖi−（Ｖr／２）＋Ｖos      …（５）
【００７０】
ＡＤＣ１０は、第２電荷転送により得られる出力電圧Ｖop、Ｖomを入力してＡ／Ｄ変換を行い、それらの差電圧である電圧Ｖo[2a]に対応したデジタルデータを図示しない制御装置へと出力する。なお、上記（５）式における「−（Ｖr／２）」は、（３）式に示したものと同様、意図的に付与したオフセットに相当する。
【００７１】
＜デジタル処理＞
図示しない制御装置は、電圧Ｖo[1a]および電圧Ｖo[2a]のそれぞれに対応したデジタルデータを用いて、電池セル４ａの端子間電圧の検出値Ｖａを求めるための処理（演算）を実行する。このような処理により得られる検出値Ｖａは、下記（６）式により表される。
Ｖａ＝（Ｖo[1a]−Ｖo[2a]）／２＝Ｖi      …（６）
【００７２】
上記（６）式に示すように、電池セル４ａの端子間電圧の検出値Ｖａとして、入力された電圧の１倍の電圧が得られることになる。つまり、この場合の総合的なゲインは「１」となる。また、上記（６）式から明らかなように、検出値Ｖａには、ＯＰアンプ１４のオフセット電圧Ｖosが含まれていない。つまり、この場合、入力反転２回サンプリングを実施することにより得られる電圧Ｖo[1a]および電圧Ｖo[2a]のそれぞれに対応したデジタルデータを用いた処理により、ＯＰアンプ１４のオフセットキャンセルが実現されている。
【００７３】
上記制御装置は、検出値Ｖａから電池セル４ａの端子間電圧の電圧値を検出する。前述したように、本実施形態では、電池セル４ａの端子間電圧は、０Ｖ〜＋５Ｖの範囲の電圧値となることを想定している。また、本実施形態では、ＡＤＣ１０の分解能は、例えば１４ビットとなっている。したがって、上記構成によれば、電池セル４ａの端子間電圧について、０Ｖから＋５Ｖまで、０．３ｍＶ単位で検出することが可能となる。
【００７４】
［２］電池に流れる電流を検出する際の動作
ここでは、電池３に流れる電流を検出する際の動作を例に説明するが、組電池４に流れる電流を検出する際の動作も同様である。電池３に流れる電流を検出する動作が行われる際、ＭＵＸ１１のスイッチＳ１〜Ｓ８は、スイッチＳ１、Ｓ２が常時オンされるとともに、スイッチＳ３〜Ｓ８が常時オフされる。
【００７５】
電池３に流れる電流が検出される際、電圧検出装置９の動作は、第１サンプリング→第１電荷転送（第１ホールド）→第２サンプリング→第２電荷転送（第２ホールド）という順で行われる。そして、図示しない制御装置が、電圧検出装置９から出力される出力電圧Ｖop、ＶomをＡ／Ｄ変換して得られるデジタルデータを用いた処理（デジタル処理）を実行することにより、電池３に流れる電流が検出される。
【００７６】
＜第１サンプリング＞
図６に示すように、第１サンプリングが行われる期間、スイッチＳ１１〜Ｓ３０のオン（ON）／オフ（OFF）の状態は、次の通りとなる。
Ｓ１１：ON、Ｓ１２：OFF、Ｓ１３：ON、Ｓ１４：OFF、Ｓ１５：ON、Ｓ１６：ON
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：ON、Ｓ２７：OFF、Ｓ２８：OFF、Ｓ２９：ON、Ｓ３０：OFF
【００７７】
これにより、キャパシタＣ１１がシャント抵抗Ｒｓ１の高電位側端子の電圧である入力電圧Ｖipにより充電されるとともに、キャパシタＣ１２がシャント抵抗Ｒｓ１の低電位側端子の電圧である入力電圧Ｖimにより充電される。つまり、キャパシタＣ１１により入力電圧Ｖipがサンプリングされるとともに、キャパシタＣ１２により入力電圧Ｖimがサンプリングされる。また、キャパシタＣ１３〜Ｃ１６は、それらの端子間が短絡されることにより、蓄積された電荷が全て放電される。さらに、キャパシタＣ１７、Ｃ１８は、基準電圧Ｖcmにより充電される。
【００７８】
＜第１電荷転送＞
図７に示すように、第１電荷転送が行われる期間、スイッチＳ１１〜Ｓ３０のオン／オフは、次のような状態となる。
Ｓ１１：OFF、Ｓ１２：ON、Ｓ１３：OFF、Ｓ１４：ON、Ｓ１５：OFF、Ｓ１６：OFF
Ｓ１７：OFF、Ｓ１８：ON、Ｓ１９：OFF、Ｓ２０：ON
Ｓ２１：OFF、Ｓ２２：ON、Ｓ２３：OFF、Ｓ２４：ON
Ｓ２５：OFF、Ｓ２６：ON、Ｓ２７：OFF、Ｓ２８：OFF、Ｓ２９：ON、Ｓ３０：OFF
【００７９】
これにより、キャパシタＣ１１に蓄積された電荷がキャパシタＣ１３を介して転送される。また、キャパシタＣ１２に蓄積された電荷がキャパシタＣ１４を介して転送される。このような第１電荷転送により、電圧検出装置９から出力される出力電圧Ｖop、Ｖomの差電圧である電圧Ｖo[1b]は、下記（７）式により表される。
Ｖo[1b]＝（２・Ｃs・Ｖi）／Ｃf＋Ｖos      …（７）
【００８０】
（１）式に示したキャパシタＣ１１〜Ｃ１８の容量比を考慮すると、上記（７）式から下記（８）式を導出することができる。
Ｖo[1b]＝８・Ｖi＋Ｖos      …（８）
【００８１】
上記（８）式に示すように、この場合、電圧Ｖo[1b]として、入力された電圧の８倍の電圧が得られることになる。したがって、１回のサンプリング（第１サンプリングおよび第１電荷転送）におけるゲインは「８」となる。
【００８２】
ＡＤＣ１０は、第１電荷転送により得られる出力電圧Ｖop、Ｖomを入力してＡ／Ｄ変換を行い、それらの差電圧である電圧Ｖo[1b]に対応したデジタルデータを図示しない制御装置へと出力する。
【００８３】
＜第２サンプリング＞
図８に示すように、第２サンプリングが行われる期間、スイッチＳ１１〜Ｓ３０のオン（ON）／オフ（OFF）の状態は、次の通りとなる。
Ｓ１１：OFF、Ｓ１２：ON、Ｓ１３：OFF、Ｓ１４：ON、Ｓ１５：ON、Ｓ１６：ON
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：ON、Ｓ２７：OFF、Ｓ２８：OFF、Ｓ２９：ON、Ｓ３０：OFF
【００８４】
これにより、キャパシタＣ１１がシャント抵抗Ｒｓ１の低電位側端子の電圧である入力電圧Ｖimにより充電されるとともに、キャパシタＣ１２がシャント抵抗Ｒｓ１の高電位側端子の電圧である入力電圧Ｖipにより充電される。つまり、キャパシタＣ１１により入力電圧Ｖimがサンプリングされるとともに、キャパシタＣ１２により入力電圧Ｖipがサンプリングされる。このように、第２サンプリングでは、第１サンプリングに対し、ＳＣ増幅回路１２への入力が反転されるようになっている。
【００８５】
また、キャパシタＣ１３〜Ｃ１６は、それらの端子間が短絡されることにより、蓄積された電荷が全て放電される。さらに、キャパシタＣ１７、Ｃ１８は、基準電圧Ｖcmにより充電される。
【００８６】
＜第２電荷転送＞
図９に示すように、第２電荷転送が行われる期間、スイッチＳ１１〜Ｓ３０のオン／オフは、次のような状態となる。
Ｓ１１：ON、Ｓ１２：OFF、Ｓ１３：ON、Ｓ１４：OFF、Ｓ１５：OFF、Ｓ１６：OFF
Ｓ１７：OFF、Ｓ１８：ON、Ｓ１９：OFF、Ｓ２０：ON
Ｓ２１：OFF、Ｓ２２：ON、Ｓ２３：OFF、Ｓ２４：ON
Ｓ２５：OFF、Ｓ２６：ON、Ｓ２７：OFF、Ｓ２８：OFF、Ｓ２９：ON、Ｓ３０：OFF
【００８７】
これにより、キャパシタＣ１１に蓄積された電荷がキャパシタＣ１３を介して転送される。また、キャパシタＣ１２に蓄積された電荷がキャパシタＣ１４を介して転送される。このような第２電荷転送により、電圧検出装置９から出力される出力電圧Ｖop、Ｖomの差電圧である電圧Ｖo[2b]は、下記（９）式により表される。
Ｖo[2b]＝−（（２・Ｃs・Ｖi）／Ｃf）＋Ｖos      …（９）
【００８８】
（１）式に示したキャパシタＣ１１〜Ｃ１８の容量比を考慮すると、上記（９）式から下記（１０）式を導出することができる。
Ｖo[2b]＝−８・Ｖi＋Ｖos      …（１０）
【００８９】
上記（１０）式に示すように、この場合、電圧Ｖo[2b]として、入力された電圧の８倍の電圧が得られることになる。つまり、１回のサンプリング（第２サンプリングおよび第２電荷転送）におけるゲインは「８」となる。
【００９０】
ＡＤＣ１０は、第２電荷転送により得られる出力電圧Ｖop、Ｖomを入力してＡ／Ｄ変換を行い、それらの差電圧である電圧Ｖo[2b]に対応したデジタルデータを図示しない制御装置へと出力する。
【００９１】
＜デジタル処理＞
図示しない制御装置は、電圧Ｖo[1b]および電圧Ｖo[2b]のそれぞれに対応したデジタルデータを用いて、シャント抵抗Ｒｓ１の端子間電圧の検出値Ｖｂを求めるための処理（演算）を実行する。このような処理により得られる検出値Ｖｂは、下記（１１）式により表される。
Ｖｂ＝（Ｖo[1b]−Ｖo[2b]）＝１６・Ｖi      …（１１）
【００９２】
上記（１１）式に示すように、この場合、シャント抵抗Ｒｓ１の端子間電圧の検出値Ｖｂとして、入力された電圧の１６倍の電圧が得られることになる。つまり、この場合の総合的なゲインは「１６」となる。また、上記（１１）式から明らかなように、検出値Ｖｂには、ＯＰアンプ１４のオフセット電圧Ｖosが含まれていない。つまり、この場合、入力反転２回サンプリングを実施することにより得られた電圧Ｖo[1b]および電圧Ｖo[2b]のそれぞれに対応したデジタルデータを用いた処理により、ＯＰアンプ１４のオフセットキャンセルが実現されている。
【００９３】
上記制御装置は、予めメモリなどに記憶されたシャント抵抗Ｒｓ１の抵抗値またはシャント抵抗Ｒｓ１の端子間電圧と電流の対応関係を示すテーブルなどを参照することにより、検出値Ｖｂから電池３に流れる電流の電流値を検出する。なお、本実施形態では、電池３に流れる電流は、−５００Ａ〜＋５００Ａの範囲の電流値となることを想定している。また、本実施形態では、シャント抵抗Ｒｓ１の抵抗値は、０．１ｍΩに設定されている。
【００９４】
そのため、検出値Ｖｂは、電池３に流れる電流が−５００Ａである場合には−８００ｍＶとなり、電池３に流れる電流が＋５００Ａである場合には＋８００ｍＶとなる。また、前述したように、本実施形態では、ＡＤＣ１０の分解能は、例えば１４ビットとなっている。したがって、上記構成によれば、電池３に流れる電流について、−５００Ａから＋５００Ａまで、０．２Ａ単位で検出することが可能となる。
【００９５】
以上説明した本実施形態によれば、次のような効果が得られる。
電圧検出装置９は、電池セル４ａまたは４ｂの端子間電圧を検出するための電圧検出モードと、電池３または組電池４に流れる電流を検出するための電流検出モードとを切り替え可能な構成であり、ＭＵＸ１１、ＳＣ増幅回路１２および動作制御部１３を備える。ＳＣ増幅回路１２は、その増幅率を切り替え可能な構成となっている。動作制御部１３は、電池セル４ａまたは４ｂの各端子電圧を出力するようにＭＵＸ１１の動作を制御するとともに、増幅率を第１増幅率（＝１）に切り替えるようにＳＣ増幅回路１２の動作を制御することにより、電圧検出モードに切り替える。また、動作制御部１３は、電池３の電流を検出するためのシャント抵抗Ｒｓ１または組電池４の電流を検出するためのシャント抵抗Ｒｓ２の各端子電圧を出力するようにＭＵＸ１１の動作を制御するとともに、増幅率を第１増幅率よりも高い第２増幅率（＝８）に切り替えるようにＳＣ増幅回路１２の動作を制御することにより、電流検出モードに切り替える。
【００９６】
上記構成では、電圧検出モード時および電流検出モード時の各信号処理経路は、いずれも「ＭＵＸ１１→ＳＣ増幅回路１２」という経路となり、互いに同じ経路となる。そして、上記構成では、同一の信号処理経路による電圧検出モードと電流検出モードとが時分割で切り替えられる。また、電流検出モード時におけるＳＣ増幅回路１２の増幅率が電圧検出モード時の増幅率である第１増幅率よりも高い第２増幅率に切り替えられるようになっている。そのため、上記構成によれば、従来必要であったシャント抵抗Ｒｓ１、Ｒｓ２の端子電圧を増幅するための専用のアンプおよびそれに付随して設けられる抵抗を必要とすることなく、互いに大きく値が異なる電池セル４ａ、４ｂの端子間電圧と、シャント抵抗Ｒｓ１、Ｒｓ２の端子間電圧との双方を精度良く検出することが可能となる。
【００９７】
このような構成によれば、アンプおよび抵抗が不要になるため、それらに起因する誤差が低減されるとともに、消費電力の低減および回路面積の削減を図ることができる。また、上記構成では、電池セル４ａまたは４ｂの端子間電圧および電池３または組電池４に流れる電流を検出するための回路が共有されることになり、その分だけ、回路規模を小さく抑えることができる。このように、本実施形態によれば、回路規模の増加を抑制しつつ、入力のダイナミックレンジに応じて高精度な検出を実現することができるという優れた効果が得られる。
【００９８】
さらに、上記構成によれば、電圧検出モード時および電流検出モード時の各信号処理経路は、いずれも検出対象となる電圧が直接サンプリングされるものであり、互いに同一の経路となる。そのため、上記構成では、電圧および電流を同一のサンプリング周期で検出することが可能となり、電流および電圧の各検出値を用いて行われるＳＯＣ推定などの各種の信号処理の精度を高めることができる。
【００９９】
すなわち、負荷変動中に電圧と電流の検出値からＳＯＣを推定する場合、重畳するノイズを除去するためにフィルタが用いられることになるが、電圧と電流とで、そのフィルタのカットオフ周波数などの特性が異なると、ノイズによる誤差の振る舞いが異なってしまい、ＳＯＣ推定の精度を高めることが困難となる。本実施形態では、電圧検出モード時および電流検出モード時の各信号処理経路は互いに同一の経路であり、電圧および電流を同一のサンプリング周期で検出することができるため、フィルタの特性ずれの懸念がなく、その結果、ＳＯＣ推定の精度を高めることができる。
【０１００】
ＳＣ増幅回路１２の増幅率は、サンプリング容量の容量値とフィードバック容量の容量値との比に応じて変化する。そこで、本実施形態では、フィードバック容量の容量値を切り替えるフィードバック容量切替部１５を設け、そのフィードバック容量切替部１５による容量値の切り替えにより、ＳＣ増幅回路１２の増幅率の切り替えを行う構成とした。このような構成によれば、一般的なスイッチトキャパシタ増幅回路の構成に対し、数個のキャパシタおよびスイッチを追加するだけで、増幅率の切り替えが可能となり、回路規模の増加を最小限に抑えつつ、上述した効果が得られる。
【０１０１】
上記した通り、ＳＣ増幅回路１２の増幅率は、サンプリング容量の容量値とフィードバック容量の容量値との比に応じて変化する。具体的には、上記した（２）式、（４）式、（７）式、（９）式などからも明らかなように、フィードバック容量の容量値に対してサンプリング容量の容量値が大きくなるように容量比を増加させるほど、ＳＣ増幅回路１２の増幅率は高くなる。
【０１０２】
しかし、この容量比は、所定の期間内にサンプリングと電荷転送（ホールド）の動作を完了しなければならないことから、アンプ帯域と密接な関係がある。すなわち、容量比を増加させるためにサンプリング容量であるキャパシタＣ１１、Ｃ１２の容量値Ｃsを大きな値にし過ぎると、ＳＣ増幅回路１２の周波数特性が悪化する、つまりアンプ帯域が狭くなる。そして、ＳＣ増幅回路１２の閉ループ帯域幅は、フィードバックファクタβに比例する。
【０１０３】
なお、本実施形態の構成において、電流検出モード時のフィードバックファクタβiおよび電圧検出モード時のフィードバックファクタβvは、それぞれ下記（１２）式および（１３）式により表すことができる。ただし、ＯＰアンプ１４の寄生入力容量の容量値をＣiとする。
βi＝Ｃf／（Ｃs＋Ｃf＋Ｃi）      …（１２）
βv＝（Ｃf＋Ｃf2）／（Ｃs＋Ｃf＋Ｃf2＋Ｃi＋Ｃr）      …（１３）
【０１０４】
特に、電流検出モード時におけるＳＣ増幅回路１２の増幅率は、シャント抵抗Ｒｓ１、Ｒｓ２の端子間電圧が小さいことから、大きい値にすることが望ましい。しかし、ＳＣ増幅回路１２の増幅率を増加させるため、むやみに上記容量比を増加させようとすると、サンプリング容量であるキャパシタＣ１１、Ｃ１２の占有面積が増加し、回路規模の増大を招いてしまう。また、この場合、フィードバックファクタβが減少することになるため、ＳＣ増幅回路１２のセトリング特性が悪化してしまう。このようなセトリング特性の悪化を抑制するためには、ＯＰアンプ１４の消費電流を増加させる必要があり、そうすると、装置全体の消費電力の低減が困難となってしまう。
【０１０５】
そこで、本実施形態では、入力反転２回サンプリングの検出手法を採用している。この検出手法によれば、電流検出モード時、１回のサンプリングにおける増幅率を「８」に抑えつつ、総合的な増幅率として「１６」を実現することができる。この場合、上記容量比は、１回のサンプリングにおける増幅率である「８」に対応した値に設定すればよいため、容量比の増加が抑制される。その結果、回路規模の増大が抑制されるとともに、電流検出モード時におけるフィードバックファクタβiが比較的大きな値となってＯＰアンプ１４の消費電流を増加させることなくセトリング特性を良好に維持することができる。
【０１０６】
また、本実施形態では、入力反転２回サンプリングの検出手法を採用したことにより、次のような効果も得られる。すなわち、本実施形態では、入力反転２回サンプリングを実施することにより得られる電圧Ｖo[1a]および電圧Ｖo[2a]のそれぞれに対応したデジタルデータを用いた処理（デジタル演算）により、ＯＰアンプ１４のオフセットキャンセルが実現されている。したがって、本実施形態によれば、電圧検出装置９、ＡＤＣ１０などを含む電池監視装置１全体での検出誤差が低減され、その結果、電池セル４ａ、４ｂの端子間電圧および電池３、組電池４に流れる電流の検出精度を一層高めることができる。
【０１０７】
なお、従来では、このようなＯＰアンプ１４のオフセットキャンセルを実現するためにはオートゼロアンプなど、追加のアンプが必要であった。これに対し、本実施形態では、上述したように処理内容に工夫を加えることによりＯＰアンプ１４のオフセットキャンセルが実現されるようになっている。そのため、本実施形態によれば、このような追加のアンプが不要となり、その分だけ、従来技術に比べ、回路面積を小さく抑えることができるという効果が得られる。
【０１０８】
ＳＣ増幅回路１２は、出力電圧Ｖop、ＶomがＡＤＣ１０の入力電圧範囲に収まるようにオフセットを付与することが可能な構成となっている。そして、動作制御部１３は、電池セル４ａまたは４ｂの電圧を検出する際、つまり電圧検出モード時、上記オフセットの付与を行うようにＳＣ増幅回路１２の動作を制御する。本実施形態では、電池セル４ａなどの端子間電圧が０〜＋５Ｖの範囲の電圧値となることを想定しており、上記オフセットは−２．５Ｖに設定されている。したがって、上述したように電圧検出モード時にオフセットが付与されることで、ＡＤＣ１０に入力される電圧を入力電圧範囲に確実に収めつつ、ＡＤＣ１０のダイナミックレンジをフルに活用することができる。
【０１０９】
（第２実施形態）
以下、第２実施形態について図１０〜図１３を参照して説明する。
第２実施形態では、電圧の検出手法が第１実施形態と異なっている。なお、構成については第１実施形態と共通するので、図１も参照しながら説明する。
【０１１０】
本実施形態の動作制御部１３は、第１実施形態と同様、１回の電圧の検出毎に、サンプリングを２回実行するようにＳＣ増幅回路１２の動作を制御する。ただし、この場合、動作制御部１３は、２回のサンプリングのうち一方では、キャパシタＣ１１を用いて入力電圧Ｖip、Ｖimの一方をサンプリングするとともにキャパシタＣ１２を用いて入力電圧Ｖip、Ｖimの他方をサンプリングするように、ＭＵＸ１１およびＳＣ増幅回路１２の動作を制御する。
【０１１１】
また、動作制御部１３は、２回のサンプリングのうちの他方では、キャパシタＣ１１を用いて入力電圧Ｖip、Ｖimの一方をサンプリングするとともにキャパシタＣ１２を用いて入力電圧Ｖip、Ｖimの一方をサンプリングするように、ＭＵＸ１１およびＳＣ増幅回路１２の動作を制御する。以下、このような本実施形態の検出手法の詳細について、電池セル４ａの電圧を検出する際の動作を例に説明する。
【０１１２】
この場合、基本的な動作およびその流れについては、第１実施形態と同様である。すなわち、電圧検出装置９の動作は、第１サンプリング→第１電荷転送→第２サンプリング→第２電荷転送という順で行われる。そして、図示しない制御装置が、電圧検出装置９から出力される出力電圧Ｖop、ＶomをＡ／Ｄ変換して得られるデジタルデータを用いた処理を実行することにより、電池セル４ａの電圧が検出される。
【０１１３】
＜第１サンプリング＞
図１０に示すように、本実施形態の第１サンプリングの動作は、第１実施形態の第１サンプリングの動作と同じである。したがって、キャパシタＣ１１により入力電圧Ｖipがサンプリングされるとともに、キャパシタＣ１２により入力電圧Ｖimがサンプリングされる。また、キャパシタＣ１３〜Ｃ１６は、それらの端子間が短絡されることにより、蓄積された電荷が全て放電される。さらに、キャパシタＣ１７が基準電圧Ｖrmにより充電されるとともに、キャパシタＣ１８が基準電圧Ｖrpにより充電される。
【０１１４】
＜第１電荷転送＞
図１１に示すように、本実施形態の第１電荷転送の動作は、第１実施形態の第１サンプリングの動作と同じである。したがって、キャパシタＣ１１に蓄積された電荷およびキャパシタＣ１７に蓄積された電荷がキャパシタＣ１３、Ｃ１５を介して転送される。また、キャパシタＣ１２に蓄積された電荷およびキャパシタＣ１８に蓄積された電荷がキャパシタＣ１４、Ｃ１６を介して転送される。このような第１電荷転送により、電圧検出装置９から出力される出力電圧Ｖop、Ｖomの差電圧である電圧Ｖo[1a']は、上記（２）式および（３）式に示した電圧Ｖo[1a]と同様のものとなる。
【０１１５】
＜第２サンプリング＞
図１２に示すように、第２サンプリングが行われる期間、スイッチＳ１〜Ｓ８およびスイッチＳ１１〜Ｓ３０のオン（ON）／オフ（OFF）の状態は、次の通りとなる。
Ｓ１：OFF、Ｓ２：OFF、Ｓ３：OFF、Ｓ４：OFF
Ｓ５：ON、Ｓ６：ON、Ｓ７：OFF、Ｓ８：OFF
Ｓ１１：OFF、Ｓ１２：ON、Ｓ１３：ON、Ｓ１４：OFF、Ｓ１５：ON、Ｓ１６：ON
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：OFF、Ｓ２７：ON、Ｓ２８：ON、Ｓ２９：OFF、Ｓ３０：OFF
【０１１６】
これにより、キャパシタＣ１１、Ｃ１２は、いずれも電池セル４ａの負極側端子の電圧である入力電圧Ｖimにより充電される。つまり、キャパシタＣ１１、Ｃ１２により入力電圧Ｖimがサンプリングされる。また、キャパシタＣ１３〜Ｃ１６は、それらの端子間が短絡されることにより、蓄積された電荷が全て放電される。さらに、キャパシタＣ１７が基準電圧Ｖrmにより充電されるとともに、キャパシタＣ１８が基準電圧Ｖrpにより充電される。
【０１１７】
＜第２電荷転送＞
図１３に示すように、第２電荷転送が行われる期間、スイッチＳ１〜Ｓ８およびスイッチＳ１１〜Ｓ３０のオン／オフは、次のような状態となる。
Ｓ１：OFF、Ｓ２：OFF、Ｓ３：OFF、Ｓ４：OFF
Ｓ５：ON、Ｓ６：ON、Ｓ７：OFF、Ｓ８：OFF
Ｓ１１：OFF、Ｓ１２：ON、Ｓ１３：ON、Ｓ１４：OFF、Ｓ１５：OFF、Ｓ１６：OFF
Ｓ１７：ON、Ｓ１８：OFF、Ｓ１９：ON、Ｓ２０：OFF
Ｓ２１：ON、Ｓ２２：OFF、Ｓ２３：ON、Ｓ２４：OFF
Ｓ２５：ON、Ｓ２６：OFF、Ｓ２７：OFF、Ｓ２８：OFF、Ｓ２９：OFF、Ｓ３０：ON
【０１１８】
これにより、第２サンプリングおよび第２電荷転送の期間中、キャパシタＣ１１、Ｃ１２に対する入力は常に入力電圧Ｖimに固定されており、その結果、検出対象となる電圧がゼロ（０Ｖ）となっている。したがって、第２電荷転送では、キャパシタＣ１７に蓄積された電荷がキャパシタＣ１３、Ｃ１５を介して転送されるとともに、キャパシタＣ１８に蓄積された電荷がキャパシタＣ１４、Ｃ１６を介して転送される。
【０１１９】
このような第２電荷転送により、電圧検出装置９から出力される出力電圧Ｖop、Ｖomの差電圧である電圧Ｖo[2a']は、下記（１４）式により表される。
Ｖo[2a']＝（２・（０−Ｃr・Ｖr）／（Ｃf＋Ｃf2））＋Ｖos  …（１４）
【０１２０】
（１）式に示したキャパシタＣ１１〜Ｃ１８の容量比を考慮すると、上記（１４）式から下記（１５）式を導出することができる。
Ｖo[2a']＝−（Ｖr／２）＋Ｖos      …（１５）
【０１２１】
ＡＤＣ１０は、第２電荷転送により得られる出力電圧Ｖop、Ｖomを入力してＡ／Ｄ変換を行い、それらの差電圧である電圧Ｖo[2a']に対応したデジタルデータを図示しない制御装置へと出力する。
【０１２２】
＜デジタル処理＞
図示しない制御装置は、電圧Ｖo[1a']および電圧Ｖo[2a']のそれぞれに対応したデジタルデータを用いて、電池セル４ａの端子間電圧の検出値Ｖａ’を求めるための処理（演算）を実行する。このような処理により得られる検出値Ｖａ’は、下記（１６）式により表される。
Ｖａ’＝（Ｖo[1a']−Ｖo[2a']）＝Ｖi      …（１６）
【０１２３】
上記（１８）式に示すように、本実施形態の処理により得られる検出値Ｖａ’は、第１実施形態の処理により得られる検出値Ｖａと同様の値となる。したがって、本実施形態においても、電池セル４ａの端子間電圧の検出値Ｖａ’として、入力された電圧の１倍の電圧が得られることになる。また、検出値Ｖａ’は検出値Ｖａと同様の値であることから、ＯＰアンプ１４のオフセット電圧Ｖosが含まれていない。つまり、本実施形態でも、第１実施形態と同様、ＯＰアンプ１４のオフセットキャンセルが実現されている。
【０１２４】
以上説明したように、本実施形態の電圧の検出手法によっても、第１実施形態の電圧の検出手法と同様の検出値が得られる。したがって、本実施形態によっても、第１実施形態と同様の効果を得ることができる。
【０１２５】
（第３実施形態）
以下、第３実施形態について図１４を参照して説明する。
図１４に示すように、本実施形態の電池監視装置３１が備える電圧検出装置３２は、第１実施形態の電圧検出装置９に対し、ＳＣ増幅回路１２に代えてＳＣ増幅回路３３を備えている点、動作制御部１３に代えて動作制御部３４を備えている点などが異なる。
【０１２６】
ＳＣ増幅回路３３は、ＳＣ増幅回路１２に対し、キャパシタＣ３１、Ｃ３２およびスイッチＳ３１〜Ｓ３６が追加されている点などが異なる。なお、図１４には、図１では省略されていたＯＰアンプ１４の各入力端子とグランド線Ｌｇとの間に存在する寄生の入力容量であるキャパシタＣ３３、Ｃ３４が図示されている。それらキャパシタＣ３３、Ｃ３４は、同じ容量値Ｃiになっている。
【０１２７】
キャパシタＣ３１、Ｃ３２は、差動構成において対をなしており、同じ容量値Ｃsiになっている。キャパシタＣ３１の一方の端子はスイッチＳ３１を介してキャパシタＣ１１の一方の端子に接続され、その他方の端子はスイッチＳ３２を介してキャパシタＣ１１の他方の端子に接続されている。また、キャパシタＣ３１の他方の端子は、スイッチＳ３３を介してグランド線Ｌｇに接続されている。
【０１２８】
キャパシタＣ３２の一方の端子はスイッチＳ３４を介してキャパシタＣ１２の一方の端子に接続され、その他方の端子はスイッチＳ３５を介してキャパシタＣ１２の他方の端子に接続されている。また、キャパシタＣ３２の他方の端子は、スイッチＳ３６を介してグランド線Ｌｇに接続されている。
【０１２９】
動作制御部３４は、スイッチＳ１〜Ｓ８、Ｓ１１〜Ｓ３０およびＳ３１〜Ｓ３６のオンとオフを制御する。この場合、スイッチＳ３３、Ｓ３６は、スイッチＳ１５、Ｓ１６と同様にオン／オフされる。一方、スイッチＳ３１、Ｓ３２、Ｓ３４、Ｓ３５は、電圧検出モード時にオフされるとともに、電流検出モード時にオンされる。
【０１３０】
上記構成のＳＣ増幅回路３３では、電圧検出モード時にキャパシタＣ１１、Ｃ１２がサンプリング容量として機能するとともに、電流検出モード時にキャパシタＣ１１、Ｃ３１の並列合成容量とキャパシタＣ１２、Ｃ３２の並列合成容量とがサンプリング容量として機能する。したがって、本実施形態では、キャパシタＣ３１は、電流検出モード時において、第１サンプリング容量の一部を構成する。また、キャパシタＣ３２は、電流検出モード時において、第２サンプリング容量の一部を構成する。
【０１３１】
このように、本実施形態では、スイッチＳ３１、Ｓ３２、Ｓ３４、Ｓ３５によりサンプリング容量の容量値を切り替えるサンプリング容量切替部３５が構成されている。この場合、サンプリング容量切替部３５は、スイッチＳ３１、Ｓ３２、Ｓ３４、Ｓ３５がオフからオンに切り替わることにより、サンプリング容量が大きくなるようになっている。
【０１３２】
ＳＣ増幅回路３３の増幅率は、フィードバック容量の容量値だけでなく、サンプリング容量の容量値にも依存して変化する。したがって、本実施形態では、ＳＣ増幅回路３３の増幅率は、フィードバック容量切替部１５による容量値の切り替えだけでなく、サンプリング容量切替部３５による容量値の切り替えによっても、その増幅率の切り替えが行われる構成となっている。
【０１３３】
上記構成では、キャパシタＣ１１〜Ｃ１８およびＣ３１〜Ｃ３４の容量値Ｃs、Ｃf、Ｃf2、Ｃr、Ｃsi、Ｃiの比（容量比）が下記（１７）式に示すような比となるように、キャパシタＣ１１〜Ｃ１８およびＣ３１、３２の容量値が設定されている。
Ｃi：Ｃf：Ｃf2：Ｃs：Ｃsi：Ｃr＝2：1：1：1：3：0.5  …（１７）
【０１３４】
このようにすれば、第１実施形態と同様、電圧検出モード時のＳＣ増幅回路３３の増幅率である第１増幅率を「１」にするとともに、電流検出モード時のＳＣ増幅回路３３の増幅率である第２増幅率を「８」にすることができる。
【０１３５】
以上説明した本実施形態によっても、第１実施形態と同様の効果が得られる。さらに、本実施形態によれば、次のような効果も得られる。すなわち、本実施形態における電流検出モード時のフィードバックファクタβi[3]は、下記（１８）式により表すことができる。
βi[3]＝Ｃf／（Ｃs＋Ｃsi＋Ｃf＋Ｃi）      …（１８）
（１７）式に示した容量比を考慮すると、本実施形態の電流検出モード時におけるフィードバックファクタβi[3]は、約０．１４３となる。
【０１３６】
一方、第１実施形態における電流検出モード時のフィードバックファクタβi[1]は、（１２）式に示したものとなる。この場合の容量比は、ＯＰアンプ１４の入力の寄生容量（キャパシタＣ３３、Ｃ３４の容量値Ｃiに相当）も考慮すると、下記（１９）式に示すような比となる。
Ｃi：Ｃf：Ｃf2：Ｃs：Ｃr＝2:0.25：1.75：1：0.5      …（１９）
上記（１９）式に示した容量比を考慮すると、第１実施形態の電流検出モード時におけるフィードバックファクタβi[1]は、約０．０７７となる。
【０１３７】
このように、本実施形態によれば、第１実施形態に対し、電流検出モード時におけるフィードバックファクタを一層大きい値にすることができる。したがって、本実施形態によれば、ＯＰアンプ１４の消費電流の一層の低減またはセトリング特性の一層の向上（サンプリングの高速化）を実現することができるという優れた効果が得られる。
【０１３８】
（第４実施形態）
以下、第４実施形態について図１５〜図１８を参照して説明する。
第４実施形態では、電圧の検出手法が第１実施形態と異なっている。なお、構成については第１実施形態と共通するので、図１も参照しながら説明する。
【０１３９】
本実施形態の動作制御部１３は、第１実施形態とは異なり、１回の電圧の検出毎に、サンプリングを１回実行するようにＳＣ増幅回路１２の動作を制御する。また、本実施形態では、キャパシタＣ１１〜Ｃ１８の容量比は、下記（２０）式のように設定されている。
Ｃf：Ｃf2：Ｃs：Ｃr＝0.25：3.75：2：1      …（２０）
【０１４０】
［１］電池セルの電圧を検出する際の動作
ここでは、電池セル４ａの電圧を検出する際の動作を例に説明するが、他の電池セルの電圧を検出する際の動作も同様である。電池セル４ａの電圧を検出する動作が行われる際、ＭＵＸ１１のスイッチＳ１〜Ｓ８は、第１実施形態と同様にオン／オフされる。
【０１４１】
電池セル４ａの電圧が検出される際、電圧検出装置９の動作は、サンプリング→電荷転送（ホールド）という順で行われる。そして、図示しない制御装置が、電圧検出装置９から出力される出力電圧Ｖop、ＶomをＡ／Ｄ変換して得られるデジタルデータに基づいて電池セル４ａの電圧を検出する。
【０１４２】
＜サンプリング＞
図１５に示すように、本実施形態のサンプリングの動作は、第１実施形態の第１サンプリングの動作と同じである。したがって、キャパシタＣ１１により入力電圧Ｖipがサンプリングされるとともに、キャパシタＣ１２により入力電圧Ｖimがサンプリングされる。また、キャパシタＣ１３〜Ｃ１６は、それらの端子間が短絡されることにより、蓄積された電荷が全て放電される。さらに、キャパシタＣ１７が基準電圧Ｖrmにより充電されるとともに、キャパシタＣ１８が基準電圧Ｖrpにより充電される。
【０１４３】
＜電荷転送＞
図１６に示すように、本実施形態の電荷転送の動作は、第１実施形態の第１電荷転送の動作と同じである。したがって、キャパシタＣ１１に蓄積された電荷およびキャパシタＣ１７に蓄積された電荷がキャパシタＣ１３、Ｃ１５を介して転送される。また、キャパシタＣ１２に蓄積された電荷およびキャパシタＣ１８に蓄積された電荷がキャパシタＣ１４、Ｃ１６を介して転送される。このような電荷転送により、電圧検出装置９から出力される出力電圧Ｖop、Ｖomの差電圧である電圧Ｖo[1a]は、上記（２）式に示したものとなる。
【０１４４】
上記（２０）式に示したキャパシタＣ１１〜Ｃ１８の容量比を考慮すると、上記（２）式から下記（２１）式を導出することができる。
Ｖo[1a]＝Ｖi−（Ｖr／２）＋Ｖos      …（２１）
【０１４５】
ＡＤＣ１０は、電荷転送により得られる出力電圧Ｖop、Ｖomを入力してＡ／Ｄ変換を行い、それらの差電圧である電圧Ｖo[1a]に対応したデジタルデータを図示しない制御装置へと出力する。
【０１４６】
＜デジタル処理＞
図示しない制御装置は、電圧Ｖo[1a]に対応したデジタルデータに基づいて電池セル４ａの端子間電圧の検出値を求める。なお、上記（２１）式に示すように、電圧Ｖo[1a]には、意図的に付与したオフセット「−（Ｖr／２）」が残ったままであるが、このオフセットの値は既知であるため、演算などにより容易に省くことができる。ただし、このようにして求められる検出値には、上記（２１）式から明らかなように、ＯＰアンプ１４のオフセット電圧Ｖosが含まれている。
【０１４７】
［２］電池に流れる電流を検出する際の動作
ここでは、電池３に流れる電流を検出する際の動作を例に説明するが、組電池４に流れる電流を検出する際の動作も同様である。電池３に流れる電流を検出する動作が行われる際、ＭＵＸ１１のスイッチＳ１〜Ｓ８は、第１実施形態と同様にオン／オフされる。
【０１４８】
電池３に流れる電流が検出される際、電圧検出装置９の動作は、サンプリング→電荷転送（ホールド）という順で行われる。そして、図示しない制御装置が、電圧検出装置９から出力される出力電圧Ｖop、ＶomをＡ／Ｄ変換して得られるデジタルデータに基づいて電池３に流れる電流を検出する。
【０１４９】
＜サンプリング＞
図１７に示すように、本実施形態のサンプリングの動作は、第１実施形態の第１サンプリングの動作と同じである。したがって、キャパシタＣ１１により入力電圧Ｖipがサンプリングされるとともに、キャパシタＣ１２により入力電圧Ｖimがサンプリングされる。また、キャパシタＣ１３〜Ｃ１６は、それらの端子間が短絡されることにより、蓄積された電荷が全て放電される。さらに、キャパシタＣ１７、Ｃ１８は、基準電圧Ｖcmにより充電される。
【０１５０】
＜電荷転送＞
図１８に示すように、本実施形態の電荷転送の動作は、第１実施形態の第１電荷転送の動作と同じである。したがって、キャパシタＣ１１に蓄積された電荷がキャパシタＣ１３を介して転送される。また、キャパシタＣ１２に蓄積された電荷がキャパシタＣ１４を介して転送される。このような電荷転送により、電圧検出装置９から出力される出力電圧Ｖop、Ｖomの差電圧である電圧Ｖo[1b]は、上記（７）式に示したものとなる。
【０１５１】
（２０）式に示したキャパシタＣ１１〜Ｃ１８の容量比を考慮すると、上記（７）式から下記（２２）式を導出することができる。
Ｖo[1b]＝１６・Ｖi＋Ｖos      …（２２）
【０１５２】
ＡＤＣ１０は、電荷転送により得られる出力電圧Ｖop、Ｖomを入力してＡ／Ｄ変換を行い、それらの差電圧である電圧Ｖo[1b]に対応したデジタルデータを図示しない制御装置へと出力する。
【０１５３】
＜デジタル処理＞
図示しない制御装置は、電圧Ｖo[1b]に対応したデジタルデータに基づいてシャント抵抗Ｒｓ１の端子間電圧の検出値を求める。このようにして求められる検出値には、上記（２２）式から明らかなように、ＯＰアンプ１４のオフセット電圧Ｖosが含まれている。上記制御装置は、第１実施形態と同様にしてシャント抵抗Ｒｓ１の端子間電圧の検出値から電池３に流れる電流の電流値を検出する。
【０１５４】
以上説明したように、本実施形態によれば、第１実施形態と同様の効果が得られる。ただし、本実施形態の電圧検出の手法だけでは、ＯＰアンプ１４のオフセットキャンセルを行うことができない。そのため、本実施形態では、オフセットキャンセルを実現するための構成（追加のキャパシタ、専用の制御シーケンスなど）を別途設ける必要がある。しかし、本実施形態によれば、１回の電圧の検出毎にサンプリングを１回だけ実行するようになっているため、第１実施形態に比べ、サンプリングの速度が速くなるという効果が得られる。
【０１５５】
（第５実施形態）
以下、第５実施形態について図１９〜図２５を参照して説明する。
図１９に示すように、本実施形態の電池監視装置５１が備える電圧検出装置５２は、第１実施形態の電圧検出装置９に対し、ＳＣ増幅回路１２に代えてＳＣ増幅回路５３を備えている点、動作制御部１３に代えて動作制御部５４を備えている点などが異なる。
【０１５６】
ＳＣ増幅回路５３は、ＳＣ増幅回路１２に対し、キャパシタＣ５１、Ｃ５２が追加されている点、スイッチＳ１５、Ｓ１６に代えてスイッチＳ５１、Ｓ５２を備えている点などが異なる。キャパシタＣ５１、Ｃ５２は、差動構成において対をなしており、同じ容量値Ｃosになっている。
【０１５７】
キャパシタＣ５１は、キャパシタＣ１１とＯＰアンプ１４の非反転入力端子との間に接続されている。キャパシタＣ５２は、キャパシタＣ１２とＯＰアンプ１４の反転入力端子との間に接続されている。スイッチＳ５１は、ＯＰアンプ１４の非反転入力端子と反転出力端子との間に接続されている。スイッチＳ５２は、ＯＰアンプ１４の反転入力端子と非反転入力端子との間に接続されている。動作制御部５４は、スイッチＳ１〜Ｓ８、Ｓ１１〜Ｓ１４、Ｓ１７〜Ｓ３０およびＳ５１、Ｓ５２のオンとオフを制御する。
【０１５８】
本実施形態の動作制御部５４は、第１実施形態とは異なり、１回の電圧の検出毎に、サンプリングを１回実行するようにＳＣ増幅回路５３の動作を制御する。また、本実施形態では、キャパシタＣ１１〜Ｃ１８の容量比は、第４実施形態と同様の比、つまり上記（２０）式に示した比となるように設定されている。
【０１５９】
［１］電池セルの電圧を検出する際の動作
ここでは、電池セル４ａの電圧を検出する際の動作を例に説明するが、他の電池セルの電圧を検出する際の動作も同様である。電池セル４ａの電圧を検出する動作が行われる際、ＭＵＸ１１のスイッチＳ１〜Ｓ８は、第１実施形態と同様にオン／オフされる。
【０１６０】
電池セル４ａの電圧が検出される際、電圧検出装置５２の動作は、リセット→サンプリング→電荷転送（ホールド）という順で行われる。そして、図示しない制御装置が、電圧検出装置５２から出力される出力電圧Ｖop、ＶomをＡ／Ｄ変換して得られるデジタルデータに基づいて電池セル４ａの電圧を検出する。
【０１６１】
＜リセット＞
図２０に示すように、リセットが行われる期間、スイッチＳ１１〜Ｓ１４、Ｓ１７〜Ｓ３０、Ｓ５１、Ｓ５２のオン（ON）／オフ（OFF）の状態は、次の通りとなる。
Ｓ１１：ON、Ｓ１２：OFF、Ｓ１３：ON、Ｓ１４：OFF
Ｓ１７：ON、Ｓ１８：ON、Ｓ１９：ON、Ｓ２０：OFF
Ｓ２１：ON、Ｓ２２：ON、Ｓ２３：ON、Ｓ２４：OFF
Ｓ２５：OFF、Ｓ２６：OFF、Ｓ２７：ON、Ｓ２８：ON、Ｓ２９：OFF、Ｓ３０：OFF
Ｓ５１：ON、Ｓ５２：ON
【０１６２】
このようなリセットの期間は、後述するサンプリングの前に、キャパシタＣ５１、Ｃ５２にオフセット電圧Ｖosに応じた電荷を蓄積する、つまりキャパシタＣ５１、Ｃ５２にオフセット電圧Ｖosを記憶させるために設けられている。また、この際、スイッチＳ２０、Ｓ２４がオフされることでＯＰアンプ１４の反転出力端子および非反転出力端子がグランド線Ｌｇから電気的に切り離されている。これにより、出力電圧Ｖop、Ｖomのオフセット電圧をキャパシタＣ５１、Ｃ５２にサンプリングすることが可能となる。
【０１６３】
＜サンプリング＞
図２１に示すように、サンプリングが行われる期間、スイッチＳ１１〜Ｓ１４、Ｓ１７〜Ｓ３０、Ｓ５１、Ｓ５２のオン（ON）／オフ（OFF）の状態は、次の通りとなる。
Ｓ１１：ON、Ｓ１２：OFF、Ｓ１３：ON、Ｓ１４：OFF
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：OFF、Ｓ２７：ON、Ｓ２８：ON、Ｓ２９：OFF、Ｓ３０：OFF
Ｓ５１：OFF、Ｓ５２：OFF
【０１６４】
これにより、キャパシタＣ５１、Ｃ５２にオフセット電圧Ｖosに応じた電荷が蓄積された状態で、キャパシタＣ１１により入力電圧Ｖipがサンプリングされるとともに、キャパシタＣ１２により入力電圧Ｖimがサンプリングされる。
【０１６５】
また、リセット期間からサンプリング期間において、キャパシタＣ１３〜Ｃ１６は、それらの端子間が短絡されることにより、蓄積された電荷が全て放電される。さらに、リセット期間からサンプリング期間において、キャパシタＣ１７が基準電圧Ｖrmにより充電されるとともに、キャパシタＣ１８が基準電圧Ｖrpにより充電される。
【０１６６】
＜電荷転送＞
図２２に示すように、電荷転送が行われる期間、スイッチＳ１１〜Ｓ１４、Ｓ１７〜Ｓ３０、Ｓ５１、Ｓ５２のオン（ON）／オフ（OFF）の状態は、次の通りとなる。
Ｓ１１：OFF、Ｓ１２：ON、Ｓ１３：OFF、Ｓ１４：ON
Ｓ１７：ON、Ｓ１８：OFF、Ｓ１９：ON、Ｓ２０：OFF
Ｓ２１：ON、Ｓ２２：OFF、Ｓ２３：ON、Ｓ２４：OFF
Ｓ２５：ON、Ｓ２６：OFF、Ｓ２７：OFF、Ｓ２８：OFF、Ｓ２９：OFF、Ｓ３０：ON
Ｓ５１：OFF、Ｓ５２：OFF。
【０１６７】
これにより、キャパシタＣ１１、Ｃ１７、Ｃ５１に蓄積された電荷がキャパシタＣ１３、Ｃ１５を介して転送される。また、キャパシタＣ１２、Ｃ１８、Ｃ５２に蓄積された電荷がキャパシタＣ１４、Ｃ１６を介して転送される。このような電荷転送により、電圧検出装置５２から出力される出力電圧Ｖop、Ｖomの差電圧である電圧Ｖo[1a]は、下記（２３）式により表される。
Ｖo[1a]＝２・（Ｃs・Ｖi−Ｃr・Ｖr）／（Ｃf＋Ｃf2）      …（２３）
【０１６８】
本実施形態では、キャパシタＣ５１、Ｃ５２によりオフセット電圧Ｖosがサンプリングされるため、出力電圧Ｖop、Ｖomのそれぞれにオフセット電圧Ｖosが含まれることとなる。そのため、上記（２３）式からも明らかなように、それらの差電圧である電圧Ｖo[1a]には、オフセット電圧Ｖosは含まれていない。
【０１６９】
上記（２０）式に示したキャパシタＣ１１〜Ｃ１８の容量比を考慮すると、上記（２３）式から下記（２４）式を導出することができる。
Ｖo[1a]＝Ｖi−（Ｖr／２）      …（２４）
【０１７０】
ＡＤＣ１０は、電荷転送により得られる出力電圧Ｖop、Ｖomを入力してＡ／Ｄ変換を行い、それらの差電圧である電圧Ｖo[1a]に対応したデジタルデータを図示しない制御装置へと出力する。
【０１７１】
＜デジタル処理＞
図示しない制御装置は、電圧Ｖo[1a]に対応したデジタルデータに基づいて電池セル４ａの端子間電圧の検出値を求める。このようにして求められる検出値には、上記（２３）式および（２４）式から明らかなように、ＯＰアンプ１４のオフセット電圧Ｖosは含まれていない。
【０１７２】
［２］電池に流れる電流を検出する際の動作
ここでは、電池３に流れる電流を検出する際の動作を例に説明するが、組電池４に流れる電流を検出する際の動作も同様である。電池３に流れる電流を検出する動作が行われる際、ＭＵＸ１１のスイッチＳ１〜Ｓ８は、第１実施形態と同様にオン／オフされる。
【０１７３】
電池３に流れる電流が検出される際、電圧検出装置５２の動作は、リセット→サンプリング→電荷転送（ホールド）という順で行われる。そして、図示しない制御装置が、電圧検出装置５２から出力される出力電圧Ｖop、ＶomをＡ／Ｄ変換して得られるデジタルデータに基づいて電池３に流れる電流を検出する。
【０１７４】
＜リセット＞
図２３に示すように、リセットが行われる期間、スイッチＳ１１〜Ｓ１４、Ｓ１７〜Ｓ３０、Ｓ５１、Ｓ５２のオン（ON）／オフ（OFF）の状態は、次の通りとなる。
Ｓ１１：ON、Ｓ１２：OFF、Ｓ１３：ON、Ｓ１４：OFF
Ｓ１７：ON、Ｓ１８：ON、Ｓ１９：ON、Ｓ２０：OFF
Ｓ２１：ON、Ｓ２２：ON、Ｓ２３：ON、Ｓ２４：OFF
Ｓ２５：OFF、Ｓ２６：ON、Ｓ２７：OFF、Ｓ２８：OFF、Ｓ２９：ON、Ｓ３０：OFF
Ｓ５１：ON、Ｓ５２：ON
【０１７５】
このようなリセットの期間は、後述するサンプリングの前に、キャパシタＣ５１、Ｃ５２にオフセット電圧Ｖosに応じた電荷を蓄積する、つまりキャパシタＣ５１、Ｃ５２にオフセット電圧Ｖosを記憶させるために設けられている。また、この際、電池セル４ａの電圧を検出する際のリセットの期間と同様の理由から、スイッチＳ２０、Ｓ２４がオフされている。
【０１７６】
＜サンプリング＞
図２４に示すように、サンプリングが行われる期間、スイッチＳ１１〜Ｓ１４、Ｓ１７〜Ｓ３０、Ｓ５１、Ｓ５２のオン（ON）／オフ（OFF）の状態は、次の通りとなる。
Ｓ１１：ON、Ｓ１２：OFF、Ｓ１３：ON、Ｓ１４：OFF
Ｓ１７：ON、Ｓ１８：ON、Ｓ１９：ON、Ｓ２０：ON
Ｓ２１：ON、Ｓ２２：ON、Ｓ２３：ON、Ｓ２４：ON
Ｓ２５：OFF、Ｓ２６：ON、Ｓ２７：OFF、Ｓ２８：OFF、Ｓ２９：ON、Ｓ３０：OFF
Ｓ５１：ON、Ｓ５２：ON
【０１７７】
これにより、キャパシタＣ５１、Ｃ５２にオフセット電圧Ｖosに応じた電荷が蓄積された状態で、キャパシタＣ１１により入力電圧Ｖipがサンプリングされるとともに、キャパシタＣ１２により入力電圧Ｖimがサンプリングされる。
【０１７８】
また、リセット期間からサンプリング期間において、キャパシタＣ１３〜Ｃ１６は、それらの端子間が短絡されることにより、蓄積された電荷が全て放電される。さらに、リセット期間からサンプリング期間において、キャパシタＣ１７、Ｃ１８は、基準電圧Ｖcmにより充電される。
【０１７９】
＜電荷転送＞
図２５に示すように、電荷転送が行われる期間、スイッチＳ１１〜Ｓ１４、Ｓ１７〜Ｓ３０、Ｓ５１、Ｓ５２のオン（ON）／オフ（OFF）の状態は、次の通りとなる。
Ｓ１１：OFF、Ｓ１２：ON、Ｓ１３：OFF、Ｓ１４：ON
Ｓ１７：OFF、Ｓ１８：ON、Ｓ１９：OFF、Ｓ２０：ON
Ｓ２１：OFF、Ｓ２２：ON、Ｓ２３：OFF、Ｓ２４：ON
Ｓ２５：OFF、Ｓ２６：ON、Ｓ２７：OFF、Ｓ２８：OFF、Ｓ２９：ON、Ｓ３０：OFF
Ｓ５１：OFF、Ｓ５２：OFF。
【０１８０】
これにより、キャパシタＣ１１、Ｃ５１に蓄積された電荷がキャパシタＣ１３を介して転送される。また、キャパシタＣ１２、Ｃ５２に蓄積された電荷がキャパシタＣ１４を介して転送される。このような電荷転送により、電圧検出装置５２から出力される出力電圧Ｖop、Ｖomの差電圧である電圧Ｖo[1b]は、下記（２５）式により表される。
Ｖo[1b]＝（２・Ｃs・Ｖi）／Ｃf      …（２５）
【０１８１】
本実施形態では、キャパシタＣ５１、Ｃ５２によりオフセット電圧Ｖosがサンプリングされるため、出力電圧Ｖop、Ｖomのそれぞれにオフセット電圧Ｖosが含まれることとなる。そのため、上記（２５）式からも明らかなように、それらの差電圧である電圧Ｖo[1b]には、オフセット電圧Ｖosは含まれていない。
【０１８２】
上記（２０）式に示したキャパシタＣ１１〜Ｃ１８の容量比を考慮すると、上記（２５）式から下記（２６）式を導出することができる。
Ｖo[1b]＝１６・Ｖi      …（２６）
【０１８３】
ＡＤＣ１０は、電荷転送により得られる出力電圧Ｖop、Ｖomを入力してＡ／Ｄ変換を行い、それらの差電圧である電圧Ｖo[1b]に対応したデジタルデータを図示しない制御装置へと出力する。
【０１８４】
＜デジタル処理＞
図示しない制御装置は、電圧Ｖo[1b]に対応したデジタルデータに基づいてシャント抵抗Ｒｓ１の端子間電圧の検出値を求める。このようにして求められる検出値には、上記（２５）式および（２６）式から明らかなように、ＯＰアンプ１４のオフセット電圧Ｖosは含まれていない。
【０１８５】
以上説明したように、本実施形態によれば、第１実施形態と同様の効果が得られる。なお、この場合、第４実施形態の構成に対し、２つの回路素子（キャパシタＣ５１、Ｃ５２）を追加するだけで、ＯＰアンプ１４のオフセットキャンセルが実現されている。そのため、本実施形態によれば、回路規模の大幅な増加を招くことなく、オフセットキャンセルも実現することができる。さらに、本実施形態によれば、１回の電圧の検出毎にサンプリングを１回だけ実行するようになっているため、第１実施形態に比べ、サンプリングの速度が速くなるという効果が得られる。
【０１８６】
（第６実施形態）
以下、第６実施形態について図２６を参照して説明する。
図２６に示す検出装置６１は、車両に搭載されるグロープラグ６２、６３の電圧および電流を検出するもので、例えばＡＣＩＣとして構成されている。グロープラグ６２、６３は、それぞれ端子Ｐ６１、Ｐ６２とグランド線Ｌｇとの間に接続されている。
【０１８７】
端子Ｐ６１は、グロープラグ６２に対する通電を制御するためのＮチャネル型ＭＯＳトランジスタＱ６１（以下、トランジスタＱ６１と省略する）およびシャント抵抗Ｒｓ６１を介して電源電圧ＶＢが供給される電源線Ｌｂに接続されている。電源電圧ＶＢは、例えば車載のバッテリから供給されるバッテリ電圧である。端子Ｐ６２は、グロープラグ６３に対する通電を制御するためのＮチャネル型ＭＯＳトランジスタＱ６２（以下、トランジスタＱ６２と省略する）およびシャント抵抗Ｒｓ６２を介して電源線Ｌｂに接続されている。
【０１８８】
検出装置６１は、グロープラグ６２、６３に流れる電流を検出する機能およびグロープラグ６２、６３の端子間電圧を検出する機能などを有する。なお、グロープラグ６２に流れる電流は、その電流が流れる経路に直列に介在するように設けられたシャント抵抗Ｒｓ６１の端子間の電圧に基づいて検出される。また、グロープラグ６３に流れる電流は、その電流が流れる経路に直列に介在するように設けられたシャント抵抗Ｒｓ６２の端子間の電圧に基づいて検出される。
【０１８９】
検出装置６１の端子Ｐ６３、Ｐ６４には、シャント抵抗Ｒｓ６１の各端子がそれぞれ接続されている。検出装置６１の端子Ｐ６５、Ｐ６６には、シャント抵抗Ｒｓ６２の各端子がそれぞれ接続されている。検出装置６１の端子Ｐ６７、Ｐ６８には、端子Ｐ６２、グランド線Ｌｇがそれぞれ接続されている。検出装置６１の端子Ｐ６９、Ｐ７０には、端子Ｐ６１、グランド線Ｌｇがそれぞれ接続されている。なお、端子Ｐ６７、Ｐ６８と、端子Ｐ６９、Ｐ７０とは、いずれも２つの電圧検出対象ノードに相当する。
【０１９０】
検出装置６１は、電圧検出装置６４およびＡ／Ｄ変換器６５などを備えている。電圧検出装置６４は、第１実施形態の電圧検出装置９などと同様の構成であり、電圧検出モードと電流検出モードとを切り替え可能な構成となっている。この場合、電圧検出モードは、端子Ｐ６７、Ｐ６８間の電圧、つまりグロープラグ６３の端子間電圧を検出する際、または端子Ｐ６９、Ｐ７０間の電圧、つまりグロープラグ６２の端子間電圧を検出する際に用いられるモードである。
【０１９１】
また、電流検出モードは、端子Ｐ６３、Ｐ６４間の電圧、つまりグロープラグ６２に流れる電流を検出するためのシャント抵抗Ｒｓ６１の端子間の電圧を検出する際、または端子Ｐ６５、Ｐ６６間の電圧、つまりグロープラグ６３に流れる電流を検出するためのシャント抵抗Ｒｓ６２の端子間の電圧を検出する際に用いられるモードである。
【０１９２】
電圧検出装置６４は、電圧検出装置９などと同様の構成、つまりＭＵＸ１１、ＳＣ増幅回路１２および動作制御部１３を備えている。なお、この場合、ＭＵＸ１１のスイッチＳ１〜Ｓ８の各一方の端子は、端子Ｐ６２〜Ｐ７０にそれぞれ接続されている。また、本実施形態では、ＳＣ増幅回路１２の増幅率の設定が、第１実施形態などと異なる。
【０１９３】
すなわち、この場合、グロープラグ６２、６３の端子間電圧は、＋１２Ｖ〜＋１４Ｖの範囲の電圧値となることが想定される。そのため、本実施形態では、容量比の設定（調整）により、電圧検出モード時の増幅率、つまり第１増幅率は、例えば「０．２５」に設定されている。これにより、電圧検出モード時、ＡＤＣ１０に入力される電圧を入力電圧範囲に収めることを可能としている。
【０１９４】
以上説明したように、本実施形態の検出装置６１は、第１実施形態の電圧検出装置９と同様に構成された電圧検出装置６４を備えており、その電圧検出装置６４を用いてグロープラグ６２、６３の電圧および電流を検出する構成となっている。したがって、本実施形態によっても、第１実施形態と同様の効果、特に、回路規模の増加を抑制しつつ、入力のダイナミックレンジに応じて高精度な検出を実現することができるという優れた効果が得られる。
【０１９５】
（その他の実施形態）
なお、本発明は上記し且つ図面に記載した各実施形態に限定されるものではなく、その要旨を逸脱しない範囲で任意に変形、組み合わせ、あるいは拡張することができる。
上記各実施形態で示した数値などは例示であり、それに限定されるものではない。
【０１９６】
第２実施形態において、第２サンプリングおよび第２電荷転送の期間中、キャパシタＣ１１、Ｃ１２に対する入力を入力電圧Ｖimに固定することにより検出対象となる電圧をゼロにしていたが、キャパシタＣ１１、Ｃ１２に対する入力を入力電圧Ｖipに固定することにより検出対象となる電圧をゼロにしてもよい。
【０１９７】
上記各実施形態では、１回の電圧の検出毎つまり１回の信号（検出値）の取得毎に、サンプリングが２回または１回実行される構成となっていたが、各サンプリングについて、目標のサンプリング周波数より十分に高い周波数で入力信号をサンプリングするオーバーサンプリングの手法を適用することも可能である。このようにすれば、電圧または電流の検出精度を一層向上することができる。例えば、１回の電圧の検出毎に２回のサンプリングが実行される実施形態について、「第１サンプリング→第１電荷転送」をｎ回繰り返し積分した後のＡＤＣ１０の出力と「第２サンプリング→第２電荷転送」をｎ回繰り返し積分した後のＡＤＣ１０の出力とから検出値を得るようにしてもよい。なお、ｎは正の整数である。オーバーサンプリングの手法を適用する場合においては、ｎ回繰り返されたサンプリング全体を１回のサンプリングとみなすことができる。したがって、１回の電圧の検出毎に実行されるサンプリングの回数は、純粋に２回または１回だけでなく、ｎ回繰り返されたサンプリング全体を１回として数えた場合における２回または１回も含まれることとなる。
【０１９８】
スイッチトキャパシタ増幅回路としては、上記各実施形態で示した構成に限らずともよく、サンプリング容量およびフィードバック容量を備えた差動構成であり、その増幅率を切り替え可能な構成であればよく、その具体的な構成は適宜変更することができる。例えば、フィードバック容量の容量値を切り替えるフィードバック容量切替部１５およびサンプリング容量の容量値を切り替えるサンプリング容量切替部３５のうち、少なくとも一方を備え、その切り替えにより、増幅率の切り替えを行う構成であってもよい。また、サンプリング容量を構成するキャパシタの数は、必要とする容量値などに応じて適宜変更すればよい。
【０１９９】
上記各実施形態では、本発明の電圧検出装置が電池の電圧および電流を検出する用途、グロープラグの電圧および電流を検出する用途に適用された例について説明したが、本発明の電圧検出装置は、２つの電圧検出対象ノード間の電圧と、電流を検出するためのシャント抵抗の端子間の電圧と、を検出する用途全般に適用することができる。
【０２００】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【０２０１】
４…組電池、４ａ、４ｂ…電池セル、９、３２、５２、６４…電圧検出回路、１０、６５…Ａ／Ｄ変換器、１１…マルチプレクサ、１２、３３、５３…スイッチトキャパシタ増幅回路、１３、３４、５４…動作制御部、１５…フィードバック容量切替部、３５…サンプリング容量切替部、Ｃ１１、Ｃ１２、Ｃ３１、Ｃ３２…キャパシタ、Ｃ１３〜Ｃ１６…キャパシタ、Ｐ１〜Ｐ８、Ｐ６３〜Ｐ７０…端子、Ｒｓ１、Ｒｓ２、Ｒｓ６１、Ｒｓ６２…シャント抵抗。
【図１】
2019032175.tif 000003
【図２】
2019032175.tif 000004
【図３】
2019032175.tif 000005
【図４】
2019032175.tif 000006
【図５】
2019032175.tif 000007
【図６】
2019032175.tif 000008
【図７】
2019032175.tif 000009
【図８】
2019032175.tif 000010
【図９】
2019032175.tif 000011
【図１０】
2019032175.tif 000012
【図１１】
2019032175.tif 000013
【図１２】
2019032175.tif 000014
【図１３】
2019032175.tif 000015
【図１４】
2019032175.tif 000016
【図１５】
2019032175.tif 000017
【図１６】
2019032175.tif 000018
【図１７】
2019032175.tif 000019
【図１８】
2019032175.tif 000020
【図１９】
2019032175.tif 000021
【図２０】
2019032175.tif 000022
【図２１】
2019032175.tif 000023
【図２２】
2019032175.tif 000024
【図２３】
2019032175.tif 000025
【図２４】
2019032175.tif 000026
【図２５】
2019032175.tif 000027
【図２６】
2019032175.tif 000028